(57)【特許請求の範囲】
【請求項１】
ファスナカートリッジであって、
第１端部から第２端部まで延びる主ハウジングであって、前記主ハウジングが前記第１端部から前記第２端部まで延びる開口と、外面から前記開口まで延びるロック口とを画定する、主ハウジングと、
前記主ハウジングの周りに配置されたドライブクリップであって、前記ドライブクリップが、ベースと、前記ベースから延びる細長い脚と、前記細長い脚から延びる突出部と、を含む、ドライブクリップと、
複数の非可撓性タブを含むファスナ室と複数の弾性可撓性タブを含むバックストップ要素とを含むファスナハウジングであって、前記ファスナハウジングが、複数のファスナを含むように構成され、前記複数のファスナが、前記ファスナ室の長手軸と前記複数のファスナの長手軸とが同一線上にあるように前記ファスナハウジングの中に配列される、ファスナハウジングと、
前記主ハウジングに沿って移動し前記ファスナカートリッジをツールのシャフトに結合するように構成されるロックスリーブと、
を含む、ファスナカートリッジ。
【請求項２】
前記ロックスリーブが、アンロック位置に相当する第１位置とロック位置に相当する第２位置との間で移動するように構成される、請求項１に記載のファスナカートリッジ。
【請求項３】
前記第１位置において、前記ロックスリーブが前記ファスナ室に沿った第１場所において前記ファスナ室と係合し、前記ドライブクリップの前記突出部が前記ロック口内に位置付けられるが、前記主ハウジングによって画定された前記開口内には位置付けられない、請求項２に記載のファスナカートリッジ。
【請求項４】
前記第１位置から前記第２位置へ移行するとき、前記ロックスリーブが前記ファスナ室から離脱して、前記ロックスリーブが前記ファスナ室に沿った第２場所において前記ファスナ室と係合するまで前記主ハウジングに沿って前記主ハウジングの前記第１端部へ向かって移動し、前記第２場所が前記第１場所と比べて前記主ハウジングの前記第１端部により近い、請求項３に記載のファスナカートリッジ。
【請求項５】
前記第２位置において、前記細長い脚が前記主ハウジングに接して潰れて、前記ドライブクリップの前記突出部を押して前記ロック口を通して前記主ハウジングによって画定された前記開口の中へ延ばす、請求項４に記載のファスナカートリッジ。
【請求項６】
更に、
前記主ハウジング及び前記ファスナハウジング内に配置され前記主ハウジング及び前記ファスナハウジング内で軸方向に移動可能なプランジャと、
バネであって、前記プランジャを第１方向へ付勢して前記ファスナの１つと当接させかつ当該バネから最も遠い前記ファスナ室の遠位端部の前記ファスナ室の出口へ向かって前記プランジャを押す、バネと、
を含む、請求項１〜５のいずれか１項に記載のファスナカートリッジ。
【請求項７】
前記複数の弾性可撓性タブが、前記プランジャ及びファスナが軸方向に前記第１方向へ移動できるようにし、かつ第１方向と反対の第２方向への前記ファスナの移動を制限する、請求項６に記載のファスナカートリッジ。
【請求項８】
前記ファスナ室の一部分が、前記ファスナと前記ファスナ室との間の相対的回転を防止しかつ前記主ハウジングに対する前記プランジャの軸方向の移動に応じて前記ファスナが前記長手軸に沿って前記ファスナ室内で移動できるようにする形状を持つ、請求項７に記載のファスナカートリッジ。
【請求項９】
前記複数の弾性可撓性タブが、前記ファスナが軸方向に前記第１方向へ移動できるようにするために前記長手軸から離れて外向きに屈曲することによって、第１の静止位置から第２の屈曲位置へ移行するように構成される、請求項６に記載のファスナカートリッジ。
【請求項１０】
前記第１の静止位置において、前記弾性可撓性タブが、前記ファスナの１つの頭部に干渉して前記ファスナの第２方向への移動を制限するように構成される、請求項９に記載のファスナカートリッジ。
【請求項１１】
ファスナカートリッジを備えるシステムであって、
前記ファスナカートリッジが、
主ハウジングであって、当該主ハウジングの第１端部から当該主ハウジングの第２端部まで延びる開口を画定する、主ハウジングと、
前記主ハウジングの周りに配置されたドライブクリップであって、当該ドライブクリップが、ツールのシャフトと係合するように構成された突出部を含む、ドライブクリップと、
ファスナハウジングであって、
複数の非可撓性タブを含むファスナ室と
複数の弾性可撓性タブを含むバックストップ要素と、を含み、当該ファスナハウジングが、複数のファスナを含むように構成され、前記複数のファスナが、前記ファスナ室の長手軸と前記複数のファスナの長手軸とが同一線上にあるように当該ファスナハウジングの中に配列される、ファスナハウジングと、
アンロック位置に相当する第１位置とロック位置に相当する第２位置との間で前記主ハウジングに沿って移動するように構成されたロックスリーブであって、前記ロック位置において、前記突出部が前記シャフトと係合して、前記ファスナカートリッジを前記ツールに結合する、ロックスリーブと、
を含む、システム。
【請求項１２】
前記ファスナカートリッジが、更に、
前記主ハウジング及び前記ファスナハウジング内に配置されかつ前記主ハウジング及び前記ファスナハウジング内で軸方向に移動可能なプランジャと、
バネであって、前記プランジャを第１方向へ付勢して前記ファスナの１つと当接させかつ当該バネから最も遠い前記ファスナ室の遠位端部の前記ファスナ室の出口へ向かって前記プランジャを押す、バネと、
を含む、請求項１１に記載のシステム。
【請求項１３】
前記複数のファスナの各々が、
ネジ切り軸部と、
前記ネジ切り軸部の端部に配置され、複数の葉状体と、各々隣り合う葉状体の間に配置されかつ各々部分的に半径方向外向きに延びる変形可能リップ及び傾斜面の１つによって画定される複数の凹部と、を含む、頭部と、
を含む、請求項１２に記載のシステム。
【請求項１４】
前記複数の非可撓性タブが、各々、前記ファスナの１つの前記変形可能リップ及び傾斜面の一方と係合して前記ファスナの前記１つが前記出口から不注意で全面的に通り抜けるのを防止するように構成され、前記非可撓性タブが、使用者によって加えられた力に応じて前記ファスナの前記１つを前記ファスナ室から放出するために、前記ファスナの前記１つの前記変形可能リップ及び前記傾斜面の一方を変形するように構成される、請求項１３に記載のシステム。
【請求項１５】
前記複数の弾性可撓性タブが、前記ファスナが軸方向に前記第１方向へ移動できるようにするために前記長手軸から外向きに屈曲することによって第１の静止位置から第２の屈曲位置へ移行するように構成され、かつ前記第１の静止位置において、前記弾性可撓性タブが、前記ファスナの１つの頭部に干渉して、前記ファスナの前記第１方向と逆向きの第２方向への移動を制限するように構成される、請求項１２〜１４のいずれか１項に記載のシステム。
【請求項１６】
前記ツールの前記シャフトが溝を含み、前記ロック位置において、前記ドライブクリップの前記突出部が前記シャフトの前記溝の中へ延びる、請求項１２〜１４のいずれか１項に記載のシステム。
【請求項１７】
前記ファスナカートリッジが前記シャフトに結合されたとき、前記シャフトが前記ファスナカートリッジに対して軸方向及び回転に関して固定される、請求項１６に記載のシステム。
【請求項１８】
複数のファスナを含むファスナカートリッジをツールのシャフトに結合することであって、前記複数のファスナの長手軸がファスナカートリッジの長手軸と整列されており、前記ファスナの最初の１つが前記ファスナカートリッジの出口から外へ延び、前記ファスナカートリッジが前記出口の中へ半径方向に延びる複数の非可撓性タブと複数の可撓性タブとを含むことと、
前記複数のファスナの前記最初の１つを物体の中へネジ式に打ち込むために、前記ツールを介して、前記ファスナカートリッジの前記長手軸を中心として前記ファスナカートリッジを回転させることと、
前記複数のファスナの前記最初の１つを前記ファスナカートリッジから分離することと、
前記ファスナカートリッジが前記複数のファスナの前記最初の１つから分離された後、前記ファスナカートリッジの前記出口から前記複数のファスナの第２のファスナを自動的に前進させることであって、前記複数のファスナの前記第２のファスナが人の作用なしに前記出口から自動的に前進することと、
を含み、
前記複数のファスナの各々が、
ネジ切り軸部と、
前記ネジ切り軸部の端部に配置され、複数の葉状体と、各々隣り合う葉状体の間に配置されかつ各々半径方向外向きに延びる変形可能リップ及び傾斜面の一方によって部分的に画定される複数の凹部と、を含む、頭部と、
を含む、方法。
【請求項１９】
前記複数のファスナの前記最初の１つを前記ファスナカートリッジから分離することが、
前記複数のファスナの前記最初の１つが前記ファスナカートリッジから分離されるように、前記非可撓性タブが、前記複数のファスナの前記最初の１つの前記変形可能リップ及び前記傾斜面の一方を少なくとも部分的に変形させるように前記ファスナカートリッジを後退させること、
を含む、請求項１８に記載の方法。
【発明の詳細な説明】
【技術分野】
【０００１】
優先権の主張
本出願は、２０１５年９月２５日提出の米国仮特許出願第６２／２３３１９３号（本出願によりその優先権の利益が主張され、参照によりその全体が本明細書に援用される）の利益を主張する。
【０００２】
本開示は、ファスナ（締結具）ドライバ用のファスナカートリッジに関する。
【背景技術】
【０００３】
本節は、本開示に関する背景情報を提供するものであり、必ずしも先行技術ではない。
【０００４】
複数のスクリュー及びその他のファスナを物体の中へ打ち込むために、典型的には、次のスクリューをスクリュードライバへ装填して物体の中へ打ち込む前に、１つのスクリューをスクリュードライバの中へ装填して、物体の中へ打ち込む。このプロセスは、時間が掛かり、面倒であり、操作者がスクリューの１つ又はそれ以上を落としたり置き間違えたりすることになりかねない。更に、スクリューを物体の中へ打ち込む前に、典型的なスクリュードライバからスクリューが不注意で離脱するのを防止することは難しく、しばしば、操作者が手でスクリュードライバ先端のスクリューを押さえなければならない。
【発明の概要】
【０００５】
本節は、開示の概要を示すものであり、その範囲全体又はその特徴の全ての包括的開示ではない。
【０００６】
１つの形態において、本開示は、本体、プランジャ、ファスナハウジング、バネ及び弾性可撓性タブを含むファスナカートリッジを提示する。本体は、内部空洞を形成できる。プランジャは、内部空洞内に配置でき、内部空洞内で軸方向に移動可能とすることができる。ファスナハウジングは、本体の第１軸端部から延びることができ、かつ、ファスナ室を含むことができ、ファスナ室は、複数のファスナを受け入れる形状を持ち、複数のファスナは、ファスナ室の長手軸とファスナの長手軸とが同一線上になるようにファスナ室の中に配列される。ファスナ室は、ファスナとファスナハウジングとの間の相対的回転を防止しかつ本体に対するプランジャの軸方向の移動に応じてファスナがファスナ室の中で長手軸に沿って移動できるようにする形状を持つことができる。バネは、第１方向へプランジャを付勢してファスナの１つと当接させることができ、かつバネから最も離れたファスナハウジングの遠位端においてファスナ室の出口へ向かってプランジャを押すことができる。弾性可撓性タブは、プランジャ及びファスナが軸方向に第１方向へ移動できるようにし、かつ第１方向と反対の第２方向へのファスナの移動を制限できる。
【０００７】
いくつかの実施形態において、弾性可撓性タブは、バックストップ要素に取り付けられる。
【０００８】
いくつかの実施形態において、バックストップ要素は、ファスナハウジング内に配置される。
【０００９】
いくつかの実施形態において、バックストップ要素は、ファスナハウジングの少なくとも一部分を受け入れ、その周りに円周状に延びる。
【００１０】
いくつかの実施形態において、バックストップ要素は、長手軸から外向きに曲がってファスナが軸方向に第１方向へ移動できるようにする複数の弾性可撓性タブを含む。弾性可撓性タブは、ファスナの１つの頭部に干渉して、第２方向へのファスナの移動を制限する。
【００１１】
いくつかの実施形態において、弾性可撓性タブは、プランジャに取り付けられ、ファスナ及びプランジャの第２方向への移動を制限するために本体の複数の戻り止めと係合可能である。
【００１２】
いくつかの実施形態において、弾性可撓性タブは、ファスナハウジング遠位端部においてファスナハウジングに取り付けられ、第２方向へのファスナの移動を制限するためにファスナと係合可能である。
【００１３】
いくつかの実施形態において、弾性可撓性タブは、プランジャに対して半径方向外側に配置され、第２方向へのプランジャの移動を制限するためにプランジャに形成された複数の戻り止めと係合可能である。
【００１４】
いくつかの実施形態において、ファスナカートリッジは、本体の第２軸端部から延びかつドライバと係合するように構成されたシャフトを含む。
【００１５】
いくつかの実施形態において、ファスナの各々は、ファスナとファスナハウジングとの間の相対的回転を防止するためにファスナ室の形状に適合する形状を有する頭部を含む。
【００１６】
いくつかの実施形態において、プランジャは、先端がファスナ室の中に少なくとも部分的に受け入れられているとき、プランジャとファスナハウジングとの間の相対的回転を防止するためにファスナ室の形状に適合する形状を持つ先端を含む。プランジャの先端は、例えば平頭スクリュードライバの構造又は十字頭スクリュードライバの構造を持つことができる。
【００１７】
いくつかの実施形態において、プランジャは、先端及びファスナの少なくとも１つが少なくとも部分的にファスナ室内に配置されるファスナ前進位置と、ファスナがファスナ室内に存在せず先端の少なくとも一部分がファスナ室の出口から突出しているドライバ位置との間で移動可能である。
【００１８】
いくつかの実施形態において、プランジャの一部分は、プランジャ全体がファスナ室を通り抜けるのを防止するサイズを持つ。
【００１９】
いくつかの実施形態において、ファスナハウジングは、ファスナ室の出口においてファスナ室の中へ半径方向内向きに突出する複数の非可撓性タブを含む。非可撓性タブは、ファスナの１つの頭部と係合して、このファスナの１つが不注意で出口の外へ全面的に通過するのを防止できる。非可撓性タブは、ファスナの前記１つの頭部を変形させて、使用者による加圧に応じてファスナの前記１つをファスナ室から放出できる。
【００２０】
いくつかの実施形態において、プランジャは、バネの一部分を受け入れる空洞を含む。
【００２１】
いくつかの実施形態において、ファスナの少なくとも１つの先端は、当該ファスナに隣接するファスナの頭部の凹部に受け入れられる。
【００２２】
いくつかの実施形態において、ファスナカートリッジは、シャフトを本体に接続するアダプタを含む。アダプタは、シャフトに取外し可能に係合する。
【００２３】
いくつかの実施形態において、シャフトの端部は、本体の内部空洞内に受け入れられ、ファスナの１つの頭部の１つ又は複数のスロットに係合する形状を持つ先端を含む。プランジャは、シャフトの前部端部とファスナハウジングとの間に配置できる。
【００２４】
いくつかの実施形態において、アダプタは、シャフトの環状凹部とスナップ式に係合する複数の可撓性タブを含む。
【００２５】
別の形態において、本開示は、シャフトとファスナハウジングとプランジャとを含むことができるツールを提供する。シャフトは、ドライバに係合するように構成できる。ファスナハウジングは、回転に関してシャフトに対して固定でき、その中で軸方向に整列しかつシャフトの長手軸に沿って配列された複数のファスナを受け入れる形状を持つファスナ室を含むことができる。ファスナ室は、ファスナとファスナハウジングとの間の相対的回転を防止しかつその中でファスナが長手軸に沿って移動できるようにする形状を持つことができる。プランジャは、ファスナの１つと当接して、ファスナの１つを長手軸に沿って第１方向へファスナ室の出口へ向かって押すことができる。ツールは、プランジャ及びファスナが軸方向に第１方向へ移動できるようにしかつ第１方向と反対の第２方向へのファスナの移動を制限するための手段も含むことができる。
【００２６】
いくつかの実施形態において、プランジャは、プランジャの先端及びファスナの少なくとも１つが少なくとも部分的にファスナ室内に配置されるファスナ前進位置と、ファスナ室の中にファスナがなく先端の少なくとも一部分がファスナ室の出口から突出するドライバ位置との間で移動可能である。
【００２７】
いくつかの実施形態において、手段は、プランジャに取り付けられて、第２方向へのファスナ及びプランジャの移動を制限するためにプランジャを収容する本体の複数の戻り止めと係合可能な弾性可撓性タブを含む。
【００２８】
いくつかの実施形態において、手段は、ファスナハウジングの遠位端部においてファスナハウジングに取り付けられて、第２方向へのファスナの移動を制限するためにファスナと係合可能な弾性可撓性タブを含む。
【００２９】
いくつかの実施形態において、手段は、プランジャに対して半径方向外側に配置されて、第２方向へのプランジャの移動を制限するためにプランジャに形成された複数の戻り止めと係合可能である弾性可撓性タブを含む。
【００３０】
いくつかの実施形態において、手段は、ファスナハウジング内に配置されたバックストップ要素に取り付けられた弾性可撓性タブを含む。
【００３１】
いくつかの実施形態において、バックストップ要素は、長手軸から外向きに曲がってファスナが軸方向に第１方向へ移動できるようにする複数の弾性可撓性タブを含む。弾性可撓性タブは、ファスナの１つの頭部に干渉して、第２方向へのファスナの移動を制限する。
【００３２】
いくつかの実施形態において、手段は、ファスナハウジングの少なくとも一部分を受け入れてその周りに円周状に延びるバックストップ要素に取り付けられた弾性可撓性タブを含む。
【００３３】
いくつかの実施形態において、バックストップ要素は、長手軸から外向きに曲がってファスナが軸方向に第１方向へ移動できるようにする複数の弾性可撓性タブを含む。弾性可撓性タブは、ファスナの１つの頭部に干渉して、第２方向へのファスナの移動を制限する。
【００３４】
いくつかの実施形態において、ツールは、シャフトとファスナハウジングとの間に延びる管状体と、シャフトを本体に接続するアダプタと、を含み、アダプタは取外し可能にシャフトに係合する。
【００３５】
いくつかの実施形態において、シャフトの端部は、本体の内部空洞内に受け入れられ、ファスナの１つの頭部の、１つ又は複数のスロットと係合する形状を持つ先端を含む。プランジャは、シャフトの前記端部とファスナハウジングとの間に配置される。
【００３６】
いくつかの実施形態において、アダプタは、シャフトの環状凹部とスナップ式に係合する複数の可撓性タブを含む。
【００３７】
別の形態において、本開示は、ファスナの長手軸がファスナカートリッジの長手軸と整列し、ファスナが回転に関してファスナカートリッジに対して固定され、ファスナの最初の１つがファスナカートリッジの出口から外へ延びるようにファスナカートリッジの中に複数のファスナを配列することと、ファスナの最初の１つを物体の中へネジ式に打ち込むためにファスナカートリッジの長手軸を中心としてファスナカートリッジを回転させることと、ファスナの最初の１つをファスナカートリッジから分離することと、ファスナカートリッジがファスナの最初の１つから分離された後に第２のファスナをファスナカートリッジの出口から自動的に前進させることと、を含むことができる方法を提示する。第２のファスナは、人の作用なしに自動的に出口から前進できる。
【００３８】
いくつかの実施形態において、方法は、第２のファスナをファスナカートリッジから分離することと、ファスナカートリッジが第２のファスナから分離された後に第３のファスナをファスナカートリッジの出口から自動的に前進させることと、を含む。第３のファスナは、人の作用なしに自動的に出口から前進できる。
【００３９】
いくつかの実施形態において、自動的に出口から第２のファスナを前進させることは、ファスナカートリッジの長手軸に沿って第１方向へプランジャを移動することによってプランジャで第２のファスナを出口から押し出すことを含む。
【００４０】
いくつかの実施形態において、方法は、第１方向と反対の第２方向へのプランジャ及び第２のファスナの移動を制限することを含む。
【００４１】
いくつかの実施形態において、方法は、全てのファスナがファスナカートリッジから分離された後にプランジャの先端を出口から延ばすことと、プランジャの先端が出口から延びているとき別のファスナをプランジャの先端と係合することと、プランジャの先端を使用して前記別のファスナを打ち込むことと、を含む。
【００４２】
いくつかの実施形態において、方法は、ファスナの１つが不注意で全体的に出口を通り抜けるのを防止するためにファスナの１つの頭部をファスナカートリッジと係合することを含む。
【００４３】
いくつかの実施形態において、方法は、使用者によって加えられた力に応じてファスナの１つをファスナカートリッジから分離するためにファスナの１つの頭部を変形することを含む。
【００４４】
いくつかの実施形態において、方法は、ファスナカートリッジの本体からファスナカートリッジのシャフトを分離することであって、シャフトが別のファスナの１つ又は複数のスロットに係合する形状を持つ先端を含むことと、先端を他のファスナに直接係合しかつシャフトをドライバに直接係合して他のファスナを打ち込むことと、を含む。
【００４５】
いくつかの実施形態において、シャフトの先端は、シャフトが本体から分離される前には本体の空洞内に受け入れられる。
【００４６】
別の形態において、本開示は、上述のファスナカートリッジに使用されるように構成されるファスナを提示する。ファスナは、ネジ切り軸部と、ネジ切り軸部の端部に配置された頭部とを含むことができる。頭部は、複数の葉状体（lobes）を含むことができる。頭部は、ネジ切り軸部の反対を向く端面とテーパー面とを含むことができる。テーパー面は、端面とネジ切り軸部との間で軸方向に延びる。端面は、ソケット及びその中に形成された第１スロットを含む。第１スロットは、ソケットが第１スロットの中央部分を貫通するようにソケットに交差できる。第１スロットは、ソケットから半径方向外向きに２つの対向する方向へ延びることができる。頭部のテーパー面は、各々隣り合う葉状体の間に配置されかつ各々半径方向外向きに延びるリップによって画定された複数の凹部を含むことができる。
【００４７】
いくつかの実施形態において、葉状体は頭部の概ね十字形の周囲を画定できる。
【００４８】
いくつかの実施形態において、ネジ切り軸部は、ネジ切り軸部の先端が別の同様のファスナのソケットの中へ受け入れられるようにテーパー状である。
【００４９】
いくつかの実施形態において、頭部は、端面に形成された第２スロットを含む。第２スロットは、第１スロットに直交して延びて、ソケットと交差できる。
【００５０】
別の形態において、本開示は、シャフトに結合するように構成されたファスナカートリッジを提示する。ファスナカートリッジは、第１端部から第２端部まで延びる主ハウジングであって、第１端部から第２端部まで延びる開口を形成し、ロック口が外面から開口まで延びる、主ハウジングと、主ハウジングの周りに位置付けられたドライブクリップであって、ドライブクリップがベースとベースから延びる細長い脚と細長い脚から延びる突出部とを含む、ドライブクリップと、複数の非可撓性タブを含むファスナ室と複数の弾性可撓性タブを含むバックストップ要素とを含むファスナハウジングであって、ファスナハウジングが、複数のファスナを含むように構成され、複数のファスナが、ファスナ室の長手軸と複数のファスナの長手軸とが同一線上にあるようにファスナハウジングの中に配列される、ファスナハウジングと、主ハウジングに沿って移動してファスナカートリッジをツールのシャフトに結合するように構成されたロックスリーブと、を含む。
【００５１】
いくつかの実施形態において、ロックスリーブは、アンロック位置に相当する第１位置とロック位置に相当する第２位置との間で移動するように構成される。
【００５２】
いくつかの実施形態において、第１位置において、ロックスリーブは、ファスナ室に沿った第１場所においてファスナ室と係合し、ドライブクリップの突出部は、ロック口内に位置付けられるが、主ハウジングによって形成された開口内にはない。
【００５３】
いくつかの実施形態において、第１位置から第２位置へ移行するとき、ロックスリーブはファスナ室から離脱して、ロックスリーブがファスナ室に沿った第２場所においてファスナ室と係合するまで主ハウジングに沿って主ハウジングの第１端部へ向かって移動する。第２場所は、第１場所と比べて、主ハウジングの第１端部に近い。
【００５４】
いくつかの実施形態において、第２位置において、細長い脚は、本体を圧して潰れて、ドライブクリップの突出部がロック口を通して主ハウジングによって画定された開口の中へ延びるようにする。
【００５５】
いくつかの実施形態において、ファスナカートリッジは、主ハウジング及びファスナハウジング内に配置されかつ主ハウジング及びファスナハウジング内で軸方向に移動可能なプランジャと、バネであって、プランジャを第１方向へ付勢してファスナの１つと当接させてかつ当該バネから最も離れたファスナ室の遠位端部のファスナ室の出口へ向かってプランジャを押す、バネと、を含む。
【００５６】
いくつかの実施形態において、複数の弾性可撓性タブは、プランジャ及びファスナを軸方向に第１方向へ移動できるようにし、第１方向と反対の第２方向へのファスナの移動を制限する。
【００５７】
いくつかの実施形態において、ファスナ室の一部分は、ファスナとファスナ室との間の相対的回転を防止しかつ本体に対するプランジャの軸方向の移動に応じてファスナがファスナ室の中で長手軸に沿って移動できるようにする形状を持つ。
【００５８】
いくつかの実施形態において、複数の弾性可撓性タブは、ファスナが軸方向に第１方向へ移動できるようにするために、長手軸から離れて外向きに屈曲することによって第１の静止位置から第２の屈曲位置へ移行するように構成される。
【００５９】
いくつかの形態において、第１の静止位置において、弾性可撓性タブは、ファスナの１つの頭部に干渉して第２方向へのファスナの移動を制限するように構成される。
【００６０】
別の形態において、本開示は、ツールに結合されるように構成されたシステムを提示する。システムは、ファスナカートリッジを含み、ファスナカートリッジは、本体の第１端部から主ハウジングの第２端部まで延びる開口を形成する主ハウジングと、主ハウジングの周りに配置されたドライブクリップであって、ドライブクリップがツールのシャフトと係合するように構成された突出部を含む、ドライブクリップと、複数の非可撓性タブを含むファスナ室と複数の弾性可撓性タブを含むバックストップ要素とを含むファスナハウジングであって、ファスナハウジングが、複数のファスナを含むように構成され、複数のファスナが、ファスナ室の長手軸と複数のファスナの長手軸とが同一線上であるようにファスナハウジングの中に配列される、ファスナハウジングと、アンロック位置に相当する第１位置とロック位置に相当する第２位置との間で主ハウジングに沿って移動するように構成されたロックスリーブであって、ロック位置において、突出部がファスナカートリッジをツールに結合するためにシャフトと係合する、ロックスリーブと、を含む。
【００６１】
いくつかの実施形態において、ファスナカートリッジは、更に、主ハウジング及びファスナハウジング内に軸方向に移動可能に配置されたプランジャと、バネであって、第１方向へプランジャを付勢してファスナの１つと当接させかつプランジャを当該バネから一番離れたファスナ室の遠位端のファスナ室の出口へ向かってプランジャを押す、バネと、を含む。
【００６２】
いくつかの実施形態において、複数のファスナの各々は、ネジ切り軸部と、ネジ切り軸部の端部に配置され複数の葉状体と各々隣り合う葉状体の間に配置されかつ各々部分的に半径方向外向きに延びる変形可能リップ及び傾斜面の一方によって形成された複数の凹部とを含む頭部と、を含む。
【００６３】
いくつかの実施形態において、複数の非可撓性タブは、各々、ファスナの１つの変形可能リップ及び傾斜面の一方に係合して、ファスナの前記１つが不注意で出口から全面的に通過するのを防止するように構成され、非可撓性タブは、ファスナの１つの変形可能リップ及び傾斜面の一方を変形して、使用者によって加えられた力に応じて、ファスナ室からファスナの１つを放出するように構成される。
【００６４】
いくつかの実施形態において、複数の弾性可撓性タブは、ファスナが軸方向に第１方向へ移動できるようにするために長手軸から離れて外向きに曲がることによって第１の静止位置から第２の屈曲位置へ移行するように構成され、第１の静止位置において、弾性可撓性タブは、ファスナの１つの頭部に干渉して第２方向へのファスナの移動を制限するように構成される。
【００６５】
いくつかの実施形態において、ツールのシャフトは、溝を含み、ロック位置において、ドライブクリップの突出部は、シャフトの溝の中へ延びる。
【００６６】
いくつかの実施形態において、ファスナカートリッジがシャフトに結合されたとき、シャフトは、軸方向及び回転に関してファスナカートリッジに対して固定される。
【００６７】
別の形態において、本開示は、複数のファスナを含むファスナカートリッジをツールのシャフトに結合することであって、複数のファスナの長手軸がファスナカートリッジの長手軸と整列し、ファスナの最初の１つがファスナカートリッジの出口から外へ延び、ファスナカートリッジが出口の中へ半径方向に延びる複数の非可撓性タブと複数の可撓性タブとを含むことと、複数のファスナの最初の１つを物体へネジ式に打ち込むためにツールを介してファスナカートリッジの長手軸を中心としてファスナカートリッジを回転することと、複数のファスナの最初の１つをファスナカートリッジから分離することと、ファスナカートリッジが複数のファスナの最初の１つから分離された後にファスナカートリッジの出口から外へ複数のファスナの第２のファスナを自動的に前進させることであって、複数のファスナの第２のファスナが人の作用なしに自動的に出口から前進することと、を含む。
【００６８】
いくつかの実施形態において、複数のファスナの各々は、ネジ切り軸部と、ネジ切り軸部の端部に配置されかつ複数の葉状体と各々隣り合う葉状体の間に配置され各々部分的に半径方向外向きに延びる変形可能リップ及び傾斜面の一方によって形成される複数の凹部とを含む頭部と、を含む。
【００６９】
いくつかの実施形態において、複数のファスナの最初の１つをファスナカートリッジから分離することは、非可撓性タブが少なくとも部分的に複数のファスナの最初の１つの変形可能リップ及び傾斜面の一方を変形して複数のファスナの最初の１つをファスナカートリッジから分離するようにファスナカートリッジを後退させることを含む。
【００７０】
更なる応用分野は、本明細書における説明から明らかになる。本概要の説明及び具体例は、単なる例示であり、本開示の範囲を限定するものではない。
【００７１】
本明細書において説明する図面は、全ての可能な実施形態ではなく、単に選択された実施形態を例示するためのものであり、本開示の範囲を限定するものではない。
【図面の簡単な説明】
【００７２】
【図１】本開示の原理に従ったファスナカートリッジの斜視図である。
【図２】ファスナカートリッジの分解斜視図である。
【図３】ファスナカートリッジのプランジャが第１位置にあるときのファスナカートリッジの断面図である。
【図４】複数のファスナが中に配置されている状態のファスナカートリッジのファスナハウジングの斜視図である。
【図５】複数のファスナの斜視図である。
【図６】複数のファスナが中に配置されている状態のファスナハウジングの別の斜視図である。
【図７】ファスナカートリッジの部分断面図であり、ファスナの１つの頭部に係合するファスナハウジングのタブを示す。
【図８】図３のファスナの１つがファスナカートリッジから分離された後のファスナカートリッジの部分断面図である。
【図９】全てのファスナがファスナハウジングから分離された後のドライバ位置にあるファスナカートリッジの斜視図である。
【図１０】図９のドライバ位置にあるファスナカートリッジの断面図である。
【図１１】本開示の原理に従った別のファスナハウジングを持つ別のファスナカートリッジの部分斜視図である。
【図１２】複数のファスナ及び図１１のファスナハウジングの部分断面図である。
【図１３】本開示の原理に従った、複数のファスナを持つ別のファスナカートリッジの断面図である。
【図１４】図１３のファスナの１つがファスナカートリッジから分離された後の図１３のファスナカートリッジの断面図である。
【図１５】本開示の原理に従った別のファスナカートリッジの斜視図である。
【図１６】図１５のファスナカートリッジの分解斜視図である。
【図１７】図１５のファスナカートリッジの断面図である。
【図１８】複数のファスナが中に配置された状態の図１５のファスナカートリッジのファスナハウジングの斜視図である。
【図１９】本開示の原理に従った別のファスナカートリッジの斜視図である。
【図２０】図１９のファスナカートリッジの分解斜視図である。
【図２１】図１９のファスナカートリッジの断面図である。
【図２２】本開示の原理に従った別のファスナカートリッジの斜視図である。
【図２３】図２２のファスナカートリッジの分解斜視図である。
【図２４】図２２のファスナカートリッジの断面図である。
【図２５】本開示の原理に従った別のファスナカートリッジの斜視図である。
【図２６】図２５のファスナカートリッジの分解斜視図である。
【図２７】図２５のファスナカートリッジの断面図である。
【図２８】図２５のファスナカートリッジの断面図である。
【図２９】図２５のファスナカートリッジの一部分の断面図である。
【図３０Ａ】本開示の原理に従った別のファスナの斜視図である。
【図３０Ｂ】図３０Ａのファスナの別の斜視図である。
【図３１】図２５のファスナカートリッジの本体の正面図である。
【図３２Ａ】図２８のファスナカートリッジの一部分の拡大断面図である。
【図３２Ｂ】図２８のファスナカートリッジの一部分の拡大断面図である。
【図３３】本開示の原理に従った別のファスナの斜視図である。
【図３４】ファスナカートリッジの分解斜視図である。
【図３５】ファスナと係合した非可撓性タブを示す、ファスナカートリッジの断面図である。
【図３６】ファスナと係合した弾性可撓性タブを示すファスナカートリッジの部分断面図である。
【図３７】ファスナカートリッジに結合されるように構成されたシャフトの側面図である。
【図３８Ａ】ファスナカートリッジがシャフトに結合されたときのシャフトの溝に沿った断面図である。
【図３８Ｂ】ファスナカートリッジがシャフトに結合されたときのシャフトの溝に沿った別の断面図である。
【図３９Ａ】ファスナの上面図である。
【図３９Ｂ】ファスナの斜視図である。
【図４０】ファスナの断面図である。
【図４１】ファスナ室の斜視図である。
【図４２】バックストップ要素の斜視図である。
【図４３】本開示の原理に従った別のファスナの斜視図である。
【図４４】ファスナカートリッジの分解斜視図である。
【図４５】ファスナと係合した弾性可撓性タブを示す、シャフトに結合されたファスナカートリッジの断面図である。
【図４６】ファスナと係合した非可撓性タブを示す、ファスナカートリッジの部分断面図である。
【図４７】バックストップ要素とファスナハウジングとの間の相互作用を示す、ファスナカートリッジの一部分の側面図である。
【図４８】ファスナハウジングの第１端部から見たファスナハウジングの図である。
【図４９】ファスナハウジングの第２端部から見たファスナハウジングの図である。
【００７３】
対応する参照番号は、図面を通じて対応する部品を示す。
【発明を実施するための形態】
【００７４】
実施形態例について、添付図面を参照して更に詳しく説明する。
【００７５】
実施形態例は、本開示が徹底的でありかつ当業者に本開示の範囲を充分に伝えるように、提示する。本開示の実施形態を充分に理解するために、具体的構成要素、装置及び方法の例などの多数の具体的詳細を示す。具体的詳細は採用する必要は必ずしもないこと、実施形態例は多様な形式で実現できること及び開示の範囲を限定すると解釈すべきではないことが、当業者には分かるはずである。いくつかの実施形態例において、周知のプロセス、周知の装置構造及び周知のテクノロジーについては詳細に説明しない。
【００７６】
本明細書において使用する技術用語は、特定の実施形態例を説明するためだけのものであり、限定的であることを意図しない。本明細書において使用される場合、単数形は、文脈上特に指示しない限り、複数形も含むことを意図する。「備える（comprise）」、「含む（include）」及び「有する（have）」は、包括的であり、明示される特徴、完成体、ステップ、作動、要素及び又は構成要素の存在を明示するが、１つまたは複数の他の特徴、完成体、ステップ、作動、要素、構成要素及び／又はそのグループの存在又は追加を排除しない。本明細書において説明する方法のステップ、プロセス及び作動は、実施順序として明確に指定されない限り、論じられる又は図示される特定の順序で実施することを必ず要求するものとは、解釈されないものとする。
【００７７】
ある要素又は層が、別の要素又は層「〜の上に（on〜）」、「〜に係合する（engaged to〜）、「〜に接続する（connected to〜）又は「〜に結合する（coupled to〜）」として記される場合、直接他の要素又は層の上にある、係合、接続若しくは結合されるか、又は、介在要素又は層が存在する可能性がある。これに対して、要素が、別の要素又は層「〜の直接上に」、「〜に直接係合する」、「に直接接続する」又は「に直接結合する」として示される場合、介在要素又は層は存在しない。要素間の関係を説明するために使用されるその他の単語は、同様に解釈されるものとする（例えば、「の間に」と「の直接間に」、「の隣に」と「のすぐ隣に」など）。本明細書において使用される場合、「及び／又は」は、関連して列記される項目の１つ又はそれ以上の任意の全ての組合せを含む。
【００７８】
様々な要素、構成要素、領域、層及び／又は区分を説明するために本明細書において第１、第２、第３などの用語が使用される場合、これらの要素、構成要素、領域、層及び／又は区分は、これらの用語によって限定されるべきではない。これらの用語は、単に１つの要素、構成要素、領域、層又は区分を別の領域、層又は区分から区別するためにだけ使用される。「第１」、「第２」及びその他の数値的用語は、本明細書において使用される場合、文脈上明確に指示されない限り順番又は順序を示唆しない。したがって、下で論じる第１要素、構成要素、領域、層又は区分は、実施形態例の教示から逸脱することなく、第２要素、構成要素、領域、層又は区分と言うこともできる。
【００７９】
「内側」、「外側」、「下方」、「下」、「下側」、「上方」、「上側」などの空間的な相対用語は、図に示される別の要素又は特徴（１つ又は複数）に対する１つの要素又は特徴の関係を説明するために本明細書において便宜上使用できる。空間的な相対用語は、図面において示す方向に加えて使用時又は作動時の装置の様々な向きを包含することを意図することができる。例えば、図の装置がひっくり返される場合、他の要素又は特徴部の「下方」又は「下」として説明される要素は、他の要素又は特徴部の「上方」になる。従って、「下方」と言う用語例は、上方及び下方の両方の向きを包含できる。装置は、その他の方向（９０°回転又はその他の向き）を向くことができ、本明細書において使用される空間的な相対用語は、状況に応じて解釈されるものとする。
【００８０】
図１〜１０を参照すると、物体（図示せず）の中へ複数のファスナ１４を打ち込むためにドライバ１２（図１）に取外し可能に取り付けできるファスナカートリッジ１０が示される。物体は、例えば、機械若しくは装置の構成要素、又は、人間若しくは動物の骨若しくはその他の組織である可能性がある。ドライバ１２は、図１において、手動ドライバのハンドルとして示されるが、ファスナカートリッジ１０は、例えばＢｉｏｍｅｔ  Ｍｉｃｒｏｆｉｘａｔｉｏｎ製造のｉＱ（商標）Ｉｎｔｅｌｌｉｇｅｎｔ  Ｄｒｉｖｅｒなどの電動又は空気圧駆動ドライバに取り付けてこれによって駆動できることが分かるはずである。以下でさらに詳細に説明するように、ファスナカートリッジ１０は、（１）複数のファスナ１４のうちの１つを打込み準備完了位置に保持し、同時に１つ又は複数のファスナ１４をスタンバイ位置に保持し、（２）打込み準備完了位置にあるファスナ１４を物体の中へ打ち込むためにドライバ１２からファスナ１４へトルクを伝達し、その後（３）自動的にファスナ１４の次の１つを打込み準備完了位置へ前進させる、ことができる。
【００８１】
図１〜３に示すように、ファスナカートリッジ１０は、外側ハウジング又は本体１６と、シャフト１８と、ファスナハウジング２０と、プランジャ２２と、バネ２４と、を含むことができる。ハウジング１６は、内部空洞２６を形成する概ね管状体である。空洞２６は、ハウジング１６の第１軸端部２８から第２軸端部３０まで延びることができる。ハウジング１６は、１対の第１スロット又は戻り止め３２と、複数の第２スロット又は戻り止め３４と、を含むことができる。第１戻り止め３２は、第２軸端部３０から同距離であり、相互に１８０度離れて配置できる。第２戻り止め３４は、相互に１８０度離れた１対の線形パターンに配列できる。
【００８２】
シャフト１８は、その一端に配置されたカラー３６を含むことができる。カラー３６は、シャフト１８が第２端部３０から軸方向に延びるようにハウジング１６の第２端部３０において空洞２６の中に受け入れられる。カラー３６は、ハウジング１６の空洞２６と連通する凹部３８を形成できる。カラー３６は、ハウジング１６に対してシャフト１８を固定するために、第１戻り止め３２とスナップ式に係合する１対の逆棘付きタブ（barbed tab）４０を含むことができる。シャフト１８をハウジング１６に固定する他の方法（例えば、プレス嵌め及び／又は溶接）を採用できることが分かるはずである。いくつかの実施形態において、シャフト１８は、ハウジング１６と一体的に形成できる。図に示す実施形態において、シャフト１８は、シャフト１８を回転に関してドライバ１２に対して固定する（それによって、ファスナカートリッジ１０全体を回転に関してドライバ１２に対して固定する）ためにドライバ１２の中に受け入れられることができる突出部４２を含む。シャフト１８は、突出部４２に加えて又はその代わりにドライバ１２に係合するための他の特徴部を含むことができることが分かるはずである。
【００８３】
ファスナハウジング２０は、ハウジング１６に取り付けられて、ハウジング１６の第１軸端部２８から延びることができる。例えば、図３に示すように、ファスナハウジング２０の一部分は、ファスナハウジング２０をハウジング１６に固定するために第１軸端部２８において空洞２６の中へプレス嵌めできる。ファスナハウジング２０をハウジング１６に永久的に固定するために１つ又は複数の溶接部を作ることができる。ファスナハウジング２０をハウジング１６に固定する他の方法（例えば、スナップ嵌めなど）を採用できることが分かるはずである。
【００８４】
ファスナハウジング２０は、ファスナハウジング２０及びハウジング１６の長手軸Ａ１に沿って貫通するファスナ室４４を含む概ね円筒体とすることができる。図３及び４に示すように、ファスナ室４４は、設定された数のファスナ１４の少なくとも一部分を受け入れることができる。ファスナ１４の設定数は、ハウジング１６の第２戻り止め３４の対の数より１つ少ない数に等しくできる。図示する実施形態において、ファスナ１４の設定された数は４である。
【００８５】
図２〜４に示すように、ファスナ室４４は、ファスナ１４の頭部４６の形状に合致する形状を持ち（即ち、ファスナ室４４は、頭部４６の形状に合わせた形状を持つ）、それによって、ファスナハウジング２０とファスナ１４との間の相対的回転を防止しながら、ファスナ１４が長手軸Ａ１に沿ってファスナ室４４を通過して移動できるようにする。図に示す実施形態において、ファスナ室４４は、概ね、十字又はプラス記号（＋）の形状を持ち、これに対応する形状のファスナ１４の頭部４６を滑動可能に受け入れる。即ち、各頭部４６は、概ね十字形の頭部４６周囲を形成する葉状体４７を含むことができる（図４）。ファスナ室４４及び頭部４６は、ファスナハウジング２０にファスナ１４の頭部４６を回転に関して固定する別の形状を持つことができることが分かるはずである。
【００８６】
図３及び４に示すように、ファスナ１４は、ファスナ室４４内に直列形に配列される。即ち、ファスナ１４の長手軸は、ファスナ１４がファスナハウジング２０内に配置されたとき長手軸Ａ１と同一線上にある。ファスナハウジング２０は、ファスナ１４がファスナ室４４内に既に配置された状態でハウジング１６に組立てできる。したがって、ファスナハウジング２０が永久的にハウジング１６に取り付けられる（例えば、溶接により）実施形態の場合、ファスナ１４の全てが物体に打ち込まれた後、ファスナ室４４に、ファスナ１４を再装填できない可能性がある。ファスナハウジング２０が取外し可能にハウジング１６に取り付けられる（例えば、スナップ嵌めにより）実施形態の場合、ファスナ室４４にファスナ１４を再装填できる。
【００８７】
図３及び８に示すように、各ファスナ１４は、ファスナ１４の長手軸に沿って頭部４６の中まで延びるソケット又は凹部４８を含む。各ファスナ１４のネジ切り軸部５０は、ファスナ１４が相互に入れ子式に納まるように、隣接するファスナ１４の凹部４８の中へ受け入れられるテーパー状の先端５２を持つことができる。図４に示すように、ファスナ１４の頭部４６は、例えばプラス頭（十字形）又は平頭ドライバ先端を受け入れるように構成できる１つ又は複数のスロット５４も含むことができる。頭部４６のテーパー状外周面４５は、陥没部又は凹部５５（図５）を含むことができる。
【００８８】
図６及び７に示すように、ファスナハウジング２０の遠位端部５６は、ファスナ室４４の出口５９においてファスナ室４４の中へ半径方向に延びる複数の非可撓性タブ５８を含むことができる。非可撓性タブ５８の各々は、打込み準備完了位置にあるファスナ１４（即ち、ファスナ室４４から外へ延びて、その先端５２がファスナカートリッジ１０の反対側を指すファスナ１４）の凹部５５の対応する１つの中へ受け入れられる。非可撓性タブ５８と打込み準備完了ファスナ１４のリップ６０（即ち、部分的に凹部５５を形成するリップ６０）との間の干渉は、ファスナカートリッジ１０と打込み準備完了ファスナ１４との間の不注意の離脱を防止する（図７）。非可撓性タブ５８は、剛性であり、弾性的に撓まない。以下で更に詳しく説明するように、リップ６０は、ファスナ１４がネジ式に物体の中へ打ち込まれた後にファスナ１４を離脱するためにファスナカートリッジ１０の使用者が加えた力に応じて、非可撓性タブ５８によって変形可能である。いくつかの実施形態において、ファスナ１４は、リップ６０の変形をさらに容易にするために、ファスナハウジング２０より柔らかい材料から作ることができる。
【００８９】
図２及び３に示すように、プランジャ２２は、本体６４から延びるシャフト６２を含むことができる。プランジャ２２は、ハウジング１６の空洞２６内をファスナ前進位置（図１、３及び８）とドライバ位置（図９）との間で移動可能とすることができる。シャフト６２及び本体６４は、長手軸Ａ１に沿って軸方向に延びることができ、長手軸Ａ１を中心とすることができる。シャフト６２は、先端６６がファスナ室４４の中に受け入れられているとき回転に関してファスナハウジング２０に対してプランジャ２２を固定しながら、先端６６が長手軸Ａ１に沿ってファスナ室４４の中を滑動できるように、ファスナ室４４の形状に合致するような形状、サイズ及び配列を持つ複数の刃６８を有する先端６６を含むことができる。刃６８はまた、ファスナ１４のスロット５４内に嵌合する形状、サイズ及び配列も持つ。先端６６の遠位端部は、ファスナ１４の１つの凹部４８に受け入れられる突出部７０を含むことができる（図８）。図２の先端６６は、十字頭スクリュードライバの形状に構成された４つの刃を持つものとして示されるが、先端６６は平頭スクリュードライバの形状に構成された２つの刃６８を含むことが可能であることが分かるはずである。
【００９０】
プランジャ２２の本体６４は、先端６６とは反対のシャフト６２の軸端部に配置される。本体６４は、シャフト６２とは反対の本体６４の軸端部に開口７４を有する凹部７２（図３及び８）を含むことができる。図３に示すように、バネ２４は、部分的に凹部７２内に受け入れられ、かつ部分的にシャフト１８のカラー３６の凹部３８内に受け入れられる。このようにして、バネ２４は、長手軸Ａ１に沿ってプランジャ２２をシャフト１８から反対向きに付勢できる。
【００９１】
図２、３及び８に示すように、プランジャ２２の本体６４は、複数の弾性可撓性タブ７６を含むことができ、その各々は、タブ７６の遠位端に又はその付近に配置された逆棘７８を含む。逆棘７８の各々は、傾斜面８０とストッパ面８２（図８）とを含む。図３及び８に示すように、逆棘７８は、ストッパ面８２と複数のバックストップ面８４の１つ（即ち第２戻り止め３４を形成するバックストップ面８４）との間の干渉が長手軸Ａ１に沿ったシャフト１８へ向かうプランジャ２２の移動を防止するように、第２戻り止め３４のいずれかの中に受け入れられる。逆棘７８の傾斜面８０は、タブ７６が内向きに（即ち、長手軸Ａ１へ向かって）屈曲できるようにして、プランジャ２２が長手軸Ａ１に沿ってシャフト１８から反対向きに移動できるようにする。
【００９２】
引き続き図１〜１０を参照して、ファスナカートリッジ１０の作動について詳細に説明する。上述のように、ファスナカートリッジ１０は、（１）同時に複数のファスナの１つを打込み準備完了位置に及び１つ又は複数のファスナをスタンバイ位置に保持し、（２）ファスナ１４を物体への打込み準備完了位置へ駆動するためにドライバ１２からファスナ１４へトルクを伝達し、その後（３）ファスナ１４の次の１つを打込み準備完了位置へ自動的に前進できる。
【００９３】
上述のように、ファスナカートリッジ１０は、設定された数のファスナ１４（例えば図示する実施形態においては４つのファスナ１４）をファスナ室４４内に配置した状態で初期組立できる。ファスナ１４の最初の１つは、図３に示すように、当初、打込み準備完了位置にある。ファスナ１４の最初の１つが打込み準備完了であるとき、プランジャ２２の可撓性タブ７６の逆棘７８は、ファスナハウジング２０の出口５９から最も離れた対の第２戻り止め３４の中に受け入れられる。
【００９４】
ファスナ１４の最初の１つが打込み準備完了位置にあり、シャフト１８がドライバ１２に取り付けられた状態のとき、使用者は、ドライバ１２を介してファスナカートリッジ１０を回転させて、ファスナ１４の最初の１つを選択された物体（機械若しくは装置の構成要素、又は、人体又は動物の骨若しくはその他の細胞）の中へネジ式に打ち込むことができる。シャフト１８は回転に関してハウジング１６及びファスナハウジング２０に対して固定されるので、長手軸Ａ１を中心としたシャフト１８の回転（ドライバ１２を介した）は、ファスナ１４へトルクを伝達させる（ファスナ１４の頭部４６は、ファスナ室４４と頭部４６とが噛み合う形状を持つので回転に関してファスナハウジング２０に固定される）。可撓性タブ７６のストッパ面８２と出口５９から最も遠い戻り止め３４のバックストップ面８４との間の干渉は、ファスナ１４が物体へ打ち込まれるとき、プランジャ２２及びファスナ１４が軸方向にシャフト１８へ向かって移動するのを防止する。
【００９５】
ファスナ１４の最初の１つが所望の深さまで物体の中へ打ち込まれた後、使用者は、ファスナ１４の最初の１つのリップ６０を変形してファスナ１４の最初の１つの頭部４６が完全にファスナハウジング２０の出口５９を通り抜けられるようにするために力を加えることによって、ファスナ１４の最初の１つからファスナカートリッジ１０を離脱できる。リップ６０の変形は、ファスナ１４が物体に埋め込まれた後に、ファスナ１４の最初の１つからファスナカートリッジ１０を引き離すことによって（又は、ファスナ１４に対してファスナカートリッジ１０を前後に揺らし、ファスナ１４から引き離すことによって）実現できる。この引き離し及び／又は揺らしの行為によって、ファスナハウジング２０の非可撓性タブ５８は、ファスナ１４の最初の１つのリップ６０を変形させて、ファスナカートリッジ１０をファスナ１４の最初の１つから分離できるようにする。このような打込み準備完了位置におけるファスナ１４の保持、及びファスナカートリッジ１０からファスナを分離するための慎重なステップは、ファスナカートリッジ１０からのファスナ１４の不注意の分離を減少又は排除して、それによってファスナ１４の落下又は紛失を減少または排除する。
【００９６】
ファスナカートリッジ１０がファスナ１４の最初の１つから分離されるとき、第２のファスナ１４（即ち、図３においてファスナ１４の最初の１つのすぐ後ろに配置されたファスナ１４）は、プランジャ２２によってスタンバイ位置から打込み準備完了位置へ自動的に押される。即ち、ファスナ１４の最初の１つがファスナカートリッジ１０から分離されるとき、バネ２４は、プランジャ２２をファスナハウジング２０の出口５９へ向かって押し、それによって第２のファスナ１４のリップ６０がファスナハウジング２０の出口５９において非可撓性タブ５８に当接するまでファスナ室４４を通過して第２のファスナ１４を前進させることができる。第２のファスナ１４が打込み準備完了位置にあるとき（即ち、第２のファスナ１４のリップ６０が非可撓性タブ５８に当接しているとき）、プランジャ２２の可撓性タブ７６の逆棘７８は、ファスナハウジング２０の出口５９から２番目に遠い対である第２の対の戻り止め３４の中へ受け入れられる（図８）。
【００９７】
第２のファスナ１４が打込み準備完了位置にあるとき、使用者は、上述と同様に、物体の中へ第２のファスナ１４を打ち込んで、その後第２のファスナ１４からファスナカートリッジ１０を分離できる。ファスナカートリッジ１０が第２のファスナ１４から分離されるとき、第３のファスナ１４は、スタンバイ位置から打込み準備完了位置へ自動的に前進する。上記のプロセスは、第３のファスナ１４を物体の中へ打ち込んで、第４のファスナ１４を前進させて打ち込むために繰り返すことができる。
【００９８】
上述のように、ファスナ１４は、スタンバイ位置から打込み準備完了位置へ自動的に前進する。即ち、ファスナ１４がファスナカートリッジ１０から分離されるとき、次のファスナ１４は、使用者からの作用なしに、打込み準備完了位置へ自動的に前進する。即ち、使用者は、次のファスナ１４を打込み準備完了位置へ前進させるために一切積極的処置を行う必要がない。
【００９９】
設定された数のファスナ１４の最後の１つが物体へ打ち込まれて、ファスナカートリッジ１０から分離されたら、プランジャ２２は、図９及び１０に示すドライバ位置へ自動的に前進できる（バネ２４の力を受けて）。ドライバ位置において、プランジャ２２の先端６６は、ファスナハウジング２０の出口５９から外へ突出し、プランジャ２２の可撓性タブ７６の逆棘７８は、ファスナハウジングの出口５９に最も近い対の第２の戻り止め３４の中に受け入れられる。逆棘７８のストッパ面８２とバックストップ面８４との間の干渉は、シャフト１８へ向かうプランジャ２２の移動を防止する。更に、プランジャ２２の本体６４の直径は、ファスナ室４４の中へ嵌合するには大きすぎるので、本体６４は、ハウジング１６の空洞２６の中に留まる。
【０１００】
プランジャ２２が図９及び１０に示すドライバ位置にあるとき、ファスナカートリッジ１０は、標準的なスクリュードライバとして機能でき、任意のファスナ１４ａ（上述のファスナ１４のように構成されたファスナだけでなく）を打ち込むために使用できる。例えば、プランジャ２２がドライバ位置にあるとき，プランジャ２２の先端６６は、スクリューダイアル又はトレイから取り出したスクリュー１４ａに係合するか、又は、スクリュー１４ａは、先端６６に手で装填できる。先端６６は、ドライバ位置のときに回転に関してファスナ室４４に固定されたままなので、ドライバ１２を介してシャフト１８に加えられたプランジャ２２のトルクは、プランジャ２２を介してスクリュー１４ａへ伝達できる（プランジャ２２が例えば図３及び８に示すファスナ前進位置の１つにあるときのように、シャフト１８からのトルクがファスナ室４４の形状を介してファスナハウジング２０によってファスナ１４へ伝達されるのではなく）。
【０１０１】
上述のファスナカートリッジ１０と同様に、設定された数のファスナ１４を保持し打込むために使用できる別のファスナカートリッジ１１０を、部分的に図１１及び１２に示す。ファスナカートリッジ１１０の構造及び機能は、以下に説明し及び／又は図に示す例外を除いて、ファスナカートリッジ１０の構造及び機能と同様又は同じである。したがって、いくつかの同様の特徴については重ねて詳細に説明しない。
【０１０２】
ファスナカートリッジ１１０は、主ハウジング１１６と、シャフト（図示せず）と、ファスナハウジング１２０と、プランジャ１２２（図１２）と、バネ（図示せず）とを含むことができる。ファスナカートリッジ１１０のシャフトは、上述のシャフト１８と同様又は同一とすることができ、操作可能に電動又は手動ドライバに結合できる。ハウジング１１６は、ハウジング１１６が第２戻り止め３４を含まなくて良いことを除いて、上述のハウジング１６と同様又は同一とすることができる。プランジャ１２２は、プランジャ１２２が可撓性タブ７６を含まなくて良いことを除いて、上述のプランジャ２２と同様とすることができる。ファスナカートリッジ１１０のバネは、上述のバネ２４と同様又は同一とすることができる。
【０１０３】
ファスナハウジング１２０は、ファスナハウジング１２０が、打込み準備完了位置にあるファスナ１４がファスナハウジング１２０のファスナ室１４４の中へ押し戻されるのを防止する弾性可撓性タブ１７６を含むことを除いて、上述のファスナハウジング２０と同様又は同一とすることができる。可撓性タブ１７６は打込み準備完了位置のファスナ１４がファスナ室１４４の中へ押し戻されるのを防止するので、スタンバイ位置にあるファスナ１４及びプランジャ１２２が、ファスナカートリッジ１１０のシャフトへ向かって押されるのが防止される。
【０１０４】
可撓性タブ１７６は、固定端１７８と自由端１８０とを含み、固定端１７８から軸方向に（ファスナハウジング１２０の長手軸Ａ２に沿って）ファスナ室１４４の出口１５９へ向かってかつ半径方向内向きに長手軸Ａ２へ向かって延びる。可撓性タブ１７６は、図１１及び１２に示すように、ファスナ１４の１つが打込み準備完了位置にある（即ち、非可撓性タブ５８と同様又は同一の非可撓性タブ１５８が打込み準備完了位置にあるファスナ１４の凹部５５に受け入れられる）とき、その公称静止位置にある。可撓性タブ１７６がその公称静止位置にあるとき、可撓性タブ１７６の自由端１８０は、打込み準備完了位置にあるファスナ１４の頭部の半径方向最も外側の周囲に対して半径方向内側に配置される。したがって、タブ１７６の自由端１８０と打込み準備完了位置にあるファスナ１４の頭部４６との間の干渉は、打込み準備完了位置にあるファスナ１４がファスナ室１４４の中へ押し戻されるのを防止する。
【０１０５】
打込み準備完了位置にあるファスナ１４が物体の中へ打ち込まれた後、ファスナカートリッジ１１０がファスナ１４から分離されるとき、プランジャ１２２は、上述のように、次のファスナ１４をスタンバイ位置から打込み準備完了位置へ押す。ファスナ１４がスタンバイ位置から打込み準備完了位置へ前進するとき、ファスナ１４の頭部４６が自由端１８０の間を打込み準備完了位置まで通過するので、ファスナ１４の頭部４６は、タブ１７６の自由端１８０を押して半径方向外向きに（長手軸Ａ２から離れる方向へ）屈曲できる。
【０１０６】
図１１及び１２には図示しないが、プランジャ１２２は、図９及び１０に示すプランジャ２２のドライバ位置と同様のドライバ位置にプランジャを保持するために、可撓性タブ１７６と境界を成す戻り止めを含むことができる。
【０１０７】
図１３及び１４は、上述のファスナカートリッジ１０、１１０と同様に設定された数のファスナ１４を保持し打込むためにドライバ１２と一緒に使用できる別のファスナカートリッジ２１０を示す。ファスナカートリッジ２１０の構造及び機能は、以下に説明し及び／又は図に示す例外を除いて、ファスナカートリッジ１０、１１０の構造及び機能と同様又は同一とすることができる。したがって、いくつかの同様の特徴については、重ねて詳細に説明しない。
【０１０８】
ファスナカートリッジ２１０は、主ハウジング２１６と、シャフト２１８と、ファスナハウジング２２０と、プランジャ２２２と、バネ２２４と、バックストップ要素２２５と、を含むことができる。図１３及び１４に示す実施形態において、ハウジング２１６及びシャフト２１８は、単一の統一体として一体的に形成されるが、いくつかの実施形態において、ハウジング２１６及びシャフト２１８は、相互に固定的に取り付けられた別個の構成要素とすることができる。ハウジング２１６は空洞２２６を含み、空洞の中に、バネ２２４及びプランジャ２２２が移動可能に配置される。バネ２２４の第１端部２２３は、シャフト２１８に隣接する空洞２２６の第１端部２２７に当接する。バネ２２４の第２端部２２９は、プランジャ２２２のフランジ２３１に当接し、それによってプランジャ２２２をファスナカートリッジ２１０の長手軸Ａ３に沿ってシャフト２１８から反対向きに付勢する。
【０１０９】
ファスナハウジング２２０は、テーパー状第１端部２３２と、第２端部２３４と、を含むことができる。凹部２３６は、第２端部２３４に形成でき、ファスナ室２４４は、凹部２３６から第１端部２３２まで延びることができる。ファスナ室２４４は、回転に関してファスナハウジング２２０に対してファスナ１４を固定するために上述のファスナ室４４と同様又は同一の形状を持つことができる。凹部２３６の直径は、概ね環状の出っ張り（ledge）２４６が凹部２３６の軸端部に形成されるようにファスナ室２４４の直径より大きくすることができる。ファスナハウジング２２０の第２端部２３４は、ハウジング２１６の１つ又は複数の溝又は戻り止め２５０とスナップ式に係合して、ハウジング２１６に対してファスナハウジング２２０を固定できる１つ又は複数の逆棘２４８を含むことができる。ファスナハウジング２２０が他の適切な任意の様式で（例えば、プレス嵌め、溶接など）ハウジング２１６に対して固定できることが分かるはずである。
【０１１０】
プランジャ２２２は、フランジ２３１から長手軸Ａ３に沿って延びるシャフト２５２を含むことができ、ハウジング２１６及びファスナハウジング２２０に対して長手軸Ａ３に沿って軸方向に移動可能である。シャフト２５２は、上述のプランジャ２２の先端６６と同様、ファスナ１４のスロット５４（図４）の１つ又は複数と係合する形状を持つ先端２５４を含むことができる。先端６６と同様、先端２６４も、ファスナ室２４４の中で滑動可能かつ回転不能に受け入れられる形状を持つ。シャフト２５２は、先端２５４とフランジ２３１との間でシャフト２５２の長さに沿って配列された複数の戻り止め２５６を含むこともできる。戻り止め２５６は、長手軸Ａ３の周りに延びる環状戻り止めとすることができる。
【０１１１】
バックストップ要素２２５は、ファスナハウジング２２０の凹部２３６内に配置されて出っ張り２４６及びハウジング２１６の軸端部に当接する環状部材とすることができる。バックストップ要素２２５は、外側体２５８と、１つ又は複数の弾性可撓性タブ２６０と、を含むことができる。可撓性タブ２６０は、固定端２６２と自由端２６４とを含み、固定端２６２から半径方向内向きに長手軸Ａ３へ向かって及び軸方向に（長手軸Ａ３に沿って）ファスナ室２４４の出口２５９へ向かって延びる。可撓性タブ２６０は、戻り止め２５６が移動して自由端２６４と整列するときに自由端２６４が戻り止め２５６の中へバネ式に嵌まるように、半径方向内向きへ付勢される。戻り止め２５６は、各々、プランジャ２２２がファスナハウジング２２０の出口２５９へ向かって移動するとき戻り止めが自由端２６４を越えて自由に移動できるようにしかつプランジャ２２２が反対方向に移動するとき戻り止め２５６が自由端２６４を越えて移動するのを防止する形状を持つ傾斜面２６６とストッパ面２６８とを含む。このようにして、バックストップ要素２２５及び戻り止め２５６は、プランジャ２２２が、打込み準備完了位置にあるファスナ１４がシャフト２１８へ向かってファスナ室２４４の中へ押し戻されるのを防止しながら、ファスナ１４をスタンバイ位置から打込み準備完了位置へ向かって前進させることができるようにする。
【０１１２】
図１５〜１８は、上述のファスナカートリッジ１０、１１０、２１０と同様に設定数のファスナ３１４を保持し打込むためにドライバ１２と一緒に使用できる別のファスナカートリッジ３１０を示す。ファスナカートリッジ３１０の構造及び機能は、以下で説明し及び／又は図に示す例外を除いて、ファスナカートリッジ１０、１１０、２１０の構造及び機能と同様又は同一とすることができる。したがって、いくつかの同様の特徴については重ねて詳細に説明しない。
【０１１３】
ファスナカートリッジ３１０は、主ハウジング３１６と、シャフト３１８と、ファスナハウジング３２０と、プランジャ３２２と、バネ３２４と、バックストップ要素３２５と、を含むことができる。図１５〜１８に示す実施形態において、ハウジング３１６及びシャフト３１８は、単一の統一体として一体的に形成されるが、いくつかの実施形態において、ハウジング３１６及びシャフト３１８は、相互に取り付けられる別個の構成要素とすることができる。ハウジング３１６は空洞３２６を含み、その中に、バネ３２４及びプランジャ３２２が移動可能に配置される。バネ３２４の第１端部３２３は、シャフト３１８に隣接する空洞３２６の第１端部３２７に当接する。バネ３２４の第２端部３２９は、プランジャ３２２のフランジ３３１に当接し、それによって、ファスナカートリッジ３１０の長手軸Ａ４に沿ってシャフト３１８から反対向きにプランジャ３２２を付勢する。
【０１１４】
ファスナハウジング３２０は、ハウジング３１６の第１軸端部３２８に取付けでき、これから延びることができる。いくつかの実施形態において、ファスナハウジング３２０は、スナップ嵌めによってハウジング３１６に係合できる（例えば、ファスナハウジング３２０のタブ３９０は、ハウジング３１６の凹部３３３の中へスナップ式に嵌る）。ファスナハウジング３２０は、テーパー状第１端部３３２と、第２端部３３４と、を含むことができる。凹部３３６が第２端部３３４に形成され、ファスナ室３４４は、凹部３３６から第１端部３３２まで延びることができる。凹部３３６の直径は、概ね環状の出っ張り３４７（図１８）が凹部３３６の軸端部に形成されるように、ファスナ室３４４の幅より大きくすることができる。ファスナ室４４に関して以上で説明したように、ファスナ室３４４は、回転に関してファスナハウジング３２０に対してファスナ３１４を固定する形状を持つことができる。図１８に示すように、ファスナハウジング３２０は、ファスナハウジング３２０に対してファスナ３１４が軸方向に（軸Ａ４に沿って）移動できるようにしながらファスナ３１４とファスナハウジング３２０との間の相対的回転を防止するために、ファスナ室３４４の中へ延びてファスナ３１４の凹部３５５に係合する１対の突出部３４５を含むことができる。
【０１１５】
図１５及び１６に示すように、ファスナハウジング３２０の第１端部３３２は、ファスナ室３４４の出口においてファスナ室３４４の中へ半径方向に延びる複数の非可撓性タブ３５８を含むことができる。非可撓性タブ３５８の各々は、打込み準備完了位置にあるファスナ３１４（即ち、ファスナ室３４４から延びて、その先端３５２がファスナカートリッジ３１０から反対向きを指すファスナ３１４）の凹部３５５の対応する１つの中に受け入れられる。非可撓性タブ３５８と打込み準備完了ファスナ３１４のリップ（例えば、リップ６０と同様又は同一のリップ）との間の干渉は、ファスナカートリッジ３１０と打込み準備完了ファスナ３１４との間の不注意の離脱を防止する。
【０１１６】
プランジャ３２２は、フランジ３３１から長手軸Ａ４に沿って延びるシャフト３５３を含むことができ、ハウジング３１６及びファスナハウジング３２０に対して長手軸Ａ４に沿って軸方向に移動可能である。シャフト３５３は、上述のプランジャ２２の先端６６と同様に、ファスナ３１４のスロット３５４（図１８）の１つ又は複数に係合する形状を持つ先端３５１を含むことができる。
【０１１７】
バックストップ要素３２５は、カラー３７０と、円筒形ステム３７４と、複数の弾性可撓性タブ３７６と、を有する概ね管状の部材とすることができる。カラー３７０は、ファスナハウジング３２０の凹部３３６の中に受け入れられ、ファスナハウジング３２０とハウジング３１６との間で軸方向に固定できる。タブ３７６は、打込み準備完了位置にあるファスナ３１４がファスナ室３４４の中へ押し戻されるのを防止する。可撓性タブ３７６は、打込み準備完了位置にあるファスナ３１４がファスナ室３４４の中へ押し戻されるのを防止するので、スタンバイ位置にあるファスナ３１４及びプランジャ３２２が、ファスナカートリッジ３１０のシャフト３１８へ向かって押されるのが防止される。
【０１１８】
可撓性タブ３７６は、固定端３７８（ステム３７４に取り付けられる）と自由端３８０とを含み、固定端３７８から軸方向に（ファスナハウジング３２０の長手軸Ａ４に沿って）ファスナ室３４４の出口３５９へ向かって及び半径方向内向きに長手軸Ａ４へ向かって延びる。可撓性タブ３７６は、図１５及び１７に示すようにファスナ３１４の１つが打込み準備完了位置にあるときその公称静止位置にある。可撓性タブ３７６がその公称静止位置にあるとき、可撓性タブ３７６の自由端３８０は、打込み準備完了位置にあるファスナ３１４の頭部３４６の半径方向最も外側の周囲に対して半径方向内側に配置される。したがって、タブ３７６の自由端３８０と打込み準備完了位置にあるファスナ３１４の頭部３４６との間の干渉は、打込み準備完了位置にあるファスナ３１４がファスナ室３４４の中へ押し戻されるのを防止する。
【０１１９】
打込み準備完了位置にあるファスナ３１４が物体の中へ打ち込まれた後、ファスナカートリッジ３１０がファスナ３１４から分離されるとき、プランジャ３２２は、上述のように、次のファスナ３１４をスタンバイ位置から打込み準備完了位置へ押す。ファスナ３１４がスタンバイ位置から打込み準備完了位置へ前進するとき、ファスナ３１４の頭部３４６が自由端３８０の間を打込み準備完了位置まで通過するので、ファスナ３１４の頭部３４６は、タブ３７６の自由端３８０を押して半径方向外向きに（長手軸Ａ４から離れる方向へ）屈曲できる。
【０１２０】
ファスナ３１４の全てが物体の中へ打ち込まれた後（即ち、ファスナ３１４の全てがファスナカートリッジ３１０から分離した後）、プランジャ３２２の先端３５１は、ファスナハウジング３２０の出口から外へ突出できる（即ち、プランジャ３２２は、以上に説明し図９に示すドライバ位置と同様のドライバ位置になれる）。プランジャ３２２がドライバ位置にあるとき、バックストップ要素３２５のタブ３７６は、先端３５１の出っ張り３７９と当接して、ファスナカートリッジ３１０がファスナを打ち込むためにドライバ位置で使用される間、プランジャ３２２がファスナ室３４４の中へ意図せずに押し戻されるのを防止できる。
【０１２１】
いくつかの実施形態において、ファスナ３１４の全てが物体へ打ち込まれた後（即ち、ファスナ３１４の全てがファスナカートリッジ３１０から分離された後）、ファスナハウジング３２０及びバックストップ要素３２５をハウジング３１６から取り外して、更なるファスナをファスナ室３４４の中へ再装填できる。その後、バックストップ要素３２５及びファスナハウジング３２０をハウジング３１６に取り付け直して、上述のように再装填されたファスナを打ち込むことができる。
【０１２２】
図１９〜２１は、上述のファスナカートリッジ１０、１１０、２１０、３１０と同様に設定された数のファスナを保持し打込むためにドライバ１２と一緒に使用できる別のファスナカートリッジ４１０を示す。ファスナカートリッジ４１０の構造及び機能は、以下に説明し及び／又は図に示す例外を除いて、ファスナカートリッジ１０、１１０、２１０、３１０の構造及び機能と同様又は同一とすることができる。したがって、いくつかの同様の特徴については重ねて詳細に説明しない。
【０１２３】
ファスナカートリッジ４１０は、主ハウジング４１６と、シャフト４１８と、アダプタ４１９と、ファスナハウジング４２０と、プランジャ４２２と、バネ４２４と、バックストップ要素４２５と、を含むことができる。ハウジング４１６及びシャフト４１８は、アダプタ４１９を介して相互に取付け可能な別個の構成要素である。アダプタ４１９は、ハウジング４１６の中へ受け入れられハウジングに取外し可能に係合する第１端部４２１と、シャフト４１８を受け入れこれに取外し可能に係合する第２端部４２３とを、含む。第１端部４２１は、ハウジング４１６の凹部４２９の中へスナップ式に嵌る１つ又は複数の逆棘４２７を含むことができる。第２端部４２３は、シャフト４１８の環状凹部４３３の中へスナップ式に嵌る複数の可撓性の逆棘付きタブ４３１を含むことができる。アダプタ４１９は、第１端部及び第２端部４２１、４２３を完全に貫通しかつシャフト４１８の噛合い部分４３７の形状に対応する形状を有する開口４３５を含むことができる。開口４３５及び噛合い部分４３７の各々は、相互に噛み合ってシャフト４１８とアダプタ４１９との間の相対的回転を防止する１つ又は複数の平坦面（図２０）を含む。アダプタ４１９の第１端部４２１は、ハウジング４１６の端部において凹部４３９（図２１）を形成する１つ又は複数の平坦面と噛み合う１つ又は複数の平坦面（図２０）を含むことができる。アダプタ４１９とハウジング４１６との間及びアダプタ４１９とシャフト４１８との間の係合は、使用者がハウジング４１６及びアダプタ４１９をシャフト４１８から手で引き離せる及び／又は所望の場合ハウジング４１６をアダプタ４１９から引き離せるようにしながら、ドリル１２及びファスナカートリッジ４１０の作動時にシャフト４１８及びハウジング４１６を相互に固定されたまま維持するために充分な強さである。
【０１２４】
ハウジング４１６は空洞４２６を含み、その中にバネ４２４及びプランジャ４２２が移動可能に配置される。バネ４２４の一方の端部は、アダプタ４１９の第１端部４２１に当接し、バネ４２４の他方の端部はプランジャ４２２のフランジ４２８に当接し、それによって、ファスナカートリッジ４１０の長手軸Ａ５に沿ってシャフト４１８から反対向きにプランジャ４２２を付勢する。
【０１２５】
ファスナハウジング４２０は、ハウジング４１６の第１軸端部４３０に取り付けてこれから延びることができる。いくつかの実施形態において、ファスナハウジング４２０は、ハウジング４１６とファスナハウジング４２０との間の相対的回転を防止するために、ハウジング４１６のキー溝４３４（１つ又は複数の平坦面を有する）の中に受け入れられるキー部分４３２（１つ又は複数の平坦面を有する）を含むことができる。ファスナハウジング４２０は、ファスナハウジングを通過して軸方向に延びるファスナ室４４４を含むことができる。ファスナ室４４に関連して上で説明したように、ファスナ室４４４は、回転に関してファスナハウジング４２０に対してファスナ１４を固定する形状を持つことができる。即ち、ファスナ室４４４は、ファスナ１４がファスナハウジング４２０に対して軸方向に（軸Ａ５に沿って）移動できるようにしながら、ファスナ１４が回転に関してファスナハウジング４２０に固定されるような形状を持つ。
【０１２６】
図１９及び２０に示すように、ファスナハウジング４２０の第１端部４５２は、ファスナ室４４４の出口においてファスナ室４４４の中へ半径方向に延びる複数の非可撓性タブ４５８を含むことができる。スロット４５９（図２０）は、隣り合う各対のタブ４５８の間に配置できる。非可撓性タブ４５８の各々は、打込み準備完了位置にあるファスナ１４（即ち、ファスナ室４４４から外へ延びて、その先端５２がファスナカートリッジ４１０から反対向きを指すファスナ１４）の凹部５５の対応する１つの中に受け入れられる。非可撓性タブ４５８と打込み準備完了ファスナ１４のリップ６０との間の干渉は、ファスナカートリッジ４１０と打込み準備完了ファスナ１４との間の不注意の離脱を防止する。
【０１２７】
プランジャ４２２は、フランジ４２８から長手軸Ａ５に沿って延びる円筒形シャフト４５３を含むことができ、長手軸Ａ５に沿ってハウジング４１６及びファスナハウジング４２０の間で軸方向に移動可能である。シャフト４５３は、ファスナ１４の１つの凹部４８内に嵌合する形状およびサイズを持つ先端４５１を含むことができる（図２１）。
【０１２８】
バックストップ要素４２５は、ベース４７０と、複数の弾性可撓性タブ４７６と、バックストップ要素４２５を軸方向に貫通する空洞４７７と、を有する概ね管状の部材とすることができる。ベース４７０は、ハウジング４１６の端部４３０の中に受け入れられることができ、ハウジング４１６の凹部４７９の中にスナップ式に嵌る逆棘４７８を含むことができる。タブ４７６の各々は、タブ４７６の遠位端部から半径方向内向きに延びるクリート（cleat）４８０を含むことができる。ファスナハウジング４２０は、バックストップ要素４２５の空洞４７７の中に受け入れられ、クリート４８０は、ファスナハウジング４２０のスロット４５９の中へ延びることができる。タブ４７６は、打込み準備完了位置にあるファスナ１４がファスナ室４４４の中へ押し戻されるのを防止する。可撓性タブ４７６は打込み準備完了位置にあるファスナ１４がファスナ室４４４の中へ押し戻されるのを防止するので、スタンバイ位置にあるファスナ１４及びプランジャ４２２は、ファスナカートリッジ４１０のシャフト４１８へ向かって押されるのが防止される。
【０１２９】
可撓性タブ４７６は、ファスナ１４の１つが図１９及び２１に示すように打込み準備完了位置にあるとき、その公称静止位置にある。可撓性タブ４７６がその公称静止位置にあるとき、可撓性タブ４７６のクリート４８０の半径方向最も内側の端部は、打込み準備完了位置にあるファスナ１４の頭部４６の半径方向最も外側の周囲に対して半径方向内側に配置される（図２１）。したがって、タブ４７６と打込み準備完了位置にあるファスナ１４の頭部４６との間の干渉は、打込み準備完了位置にあるファスナ１４がファスナ室４４４の中へ押し戻されるのを防止する。
【０１３０】
打込み準備完了位置にあるファスナ１４が物体へ打ち込まれた後、ファスナカートリッジ４１０がファスナ１４から分離されるとき、プランジャ４２２は、上述のように、次のファスナ１４をスタンバイ位置から打込み準備完了位置へ押す。ファスナ１４がスタンバイ位置から打込み準備完了位置へ前進するとき、ファスナ１４の頭部４６がタブ４７６の間を打込み準備完了位置まで通過するので、ファスナ１４の頭部４６はタブ４７６を押して半径方向外向きに（長手軸Ａ５から反対向きに）屈曲できる。
【０１３１】
ファスナ１４の全てが物体へ打ち込まれた後（即ち、ファスナ１４の全てがファスナカートリッジ４１０から分離した後）、アダプタ４１９及びハウジング４１６は、（ファスナハウジング４２０、プランジャ４２２、バネ４２４及びバックストップ要素４２５と一緒に）シャフト４１８から取り外せる。その後、シャフト４１８のドライバ先端４９０（ファスナ１４のスロット５４の中に受け入れられる形状を持つ）を用いて、１回に１つずつファスナに係合して、これを打込むことができる。更に、ハウジング４１６に追加のファスナを再装填するか、又は、アダプタ４１９を介して、事前に装填されたハウジング４１６をシャフト４１８に取り付け直すことができる。
【０１３２】
図２２〜２４は、上述のファスナカートリッジ４１０と同様に設定された数のファスナ１４を保持し打込むためにドライバ１２と一緒に使用できる別のファスナカートリッジ５１０を示す。ファスナカートリッジ５１０の構造及び機能は、以下で説明し及び／又は図に示す例外を除いて、ファスナカートリッジ４１０の構造及び機能と同様又は同一とすることができる。したがって、いくつかの同様の特徴については重ねて詳細に説明しない。
【０１３３】
ファスナカートリッジ５１０は、主ハウジング５１６と、シャフト５１８と、ファスナハウジング５２０と、プランジャ５２２と、バネ５２４と、バックストップ要素５２５とを含むことができる。図２２〜２４に示す実施形態において、ハウジング５１６及びシャフト５１８は、単一の統一体として一体的に形成される。
【０１３４】
ハウジング５１６は空洞５２６を含み、その中に、バネ５２４及びプランジャ５２２が移動可能に配置される。バネ５２４の第１端部５２３は、シャフト５１８に隣接する空洞５２６の第１端部５２７に当接する。バネ５２４の第２端部５２９は、プランジャ５２２のフランジ５３１に当接し、それによって、ファスナカートリッジ５１０の長手軸Ａ６に沿ってシャフト５１８から反対向きにプランジャ５２２を付勢する。プランジャ５２２は、フランジ５３１から長手軸Ａ６に沿って延びるシャフト５５３を含むことができる。シャフト５５３は、上述のプランジャ２２の先端６６と同様、ファスナ１４のスロットの１つ又は複数と係合する形状を持つ先端５５１を含むことができる。
【０１３５】
ハウジング５１６は、それ以外は、上述のハウジング４１６と同様又は同一とすることができる。更に、ファスナハウジング５２０及びバックストップ要素５２５は、上述のファスナハウジング４２０及びバックストップ要素４２５と同様又は同一とすることができる。
【０１３６】
上述のように、バックストップ要素５２５のタブ５７６及びクリート５８０は、打込み準備完了位置にあるファスナ１４がファスナハウジング５２０のファスナ室５４４の中へ押し戻されるのを防止する。可撓性タブ５７６は、図２２及び２４に示すように、ファスナ１４の１つが打込み準備完了位置にあるとき、その公称静止位置にある。可撓性タブ５７６がその公称静止位置にあるとき、可撓性タブ５７６のクリート５８０の半径方向最も内側の端部は、打込み準備完了位置にあるファスナ１４の頭部４６の半径方向最も外側の周囲に対して半径方向内側に配置される（図２４）。したがって、タブ５７６と打込み準備完了位置にあるファスナ１４の頭部４６との間の干渉は、打込み準備完了位置にあるファスナ１４がファスナ室５４４の中へ押し戻されるのを防止する。
【０１３７】
打込み準備完了位置にあるファスナ１４が物体に打ち込まれた後、ファスナカートリッジ５１０がファスナ１４から分離されるとき、プランジャ５２２は、上述のように、次のファスナ１４をスタンバイ位置から打込み準備完了位置へ押す。ファスナ１４がスタンバイ位置から打込み準備完了位置へ前進するとき、ファスナ１４の頭部４６がタブ５７６の間を打込み準備完了位置まで通過するので、ファスナ１４の頭部４６は、タブ５７６を押して半径方向外向きに（長手軸Ａ６から反対向きに）屈曲できる。
【０１３８】
ファスナ１４の全てが物体の中へ打ち込まれた後（即ち、ファスナ１４の全てがファスナカートリッジ５１０から分離された後）、プランジャ５２２の先端５５１は、ファスナハウジング５２０の出口から外へ突出できる（即ち、プランジャ５２２は、以上で説明し図９に示すドライバ位置と同様のドライバ位置になる）。プランジャ５２２がドライバ位置にあるとき、バックストップ要素５２５のクリート５８０は、先端５５１の出っ張り５５２に当接して、ファスナカートリッジ５１０がファスナを打ち込むためにドライバ位置で使用される間、プランジャ５２２がファスナ室５４４の中へ意図せずに押し戻されるのを防止できる。
【０１３９】
図２５〜３２Ｂは、上述のファスナカートリッジ１０、１１０、２１０、３１０、４１０と同様に設定された数のファスナ６１３を保持し打込むためにドライバ１２と一緒に使用できる別のファスナカートリッジ６１０を示す。ファスナカートリッジ６１０の構造及び機能は、以下で説明し図に示す例外を除いて、ファスナカートリッジ１０、１１０、２１０、３１０、４１０の構造及び機能と同様又は同一とすることができる。したがって、いくつかの同様の特徴については重ねて詳細に説明しない。
【０１４０】
図２５〜２８に示すファスナカートリッジ６１０は、使い捨てファスナカートリッジとすることができる。ファスナカートリッジ６１０は、ドライバに結合されたシャフト６１８を受け入れることができる。図に示す実施形態において、シャフト６１８は、回転に関してドライバ１２に対してシャフト６１８を固定するために（それによって回転に関してドライバ１２に対してファスナカートリッジ６１０全体を固定するために）、ドライバ１２の中に受け入れられる突出部４２を含む。シャフト６１８は、ドライバ１２に係合するために突出部６４２に加えて又はこれに代えて他の特徴部を含むことができることが分かるはずである。
【０１４１】
ファスナカートリッジ６１０は、本体６１５と、アダプタ６１９と、プランジャハウジング６１７と、ファスナハウジング６２１と、バネ６２４と、複数のファスナ６１３と、を含むことができる。図２５に示すように、ファスナカートリッジ６１０は、シャフト６１８に結合される。ファスナカートリッジ６１０及びシャフト６１８は、ファスナカートリッジ６１０のアダプタ６１９を介して相互に取付け可能な別個の構成要素である。アダプタ６１９は、本体６１５の中へ受け入れられ本体６１５に係合する第１端部６２１と、シャフト６１８を受け入れシャフト６１８と係合する第２端部６２３と、を含む。第１端部６２１は、本体６１５の凹部６２９の中へスナップ式に嵌る１つ又は複数の逆棘６２７を含むことができる。第２端部６２３は、シャフト６１８の環状凹部６３３の中へスナップ式に嵌る複数の可撓性逆棘付きタブ６３１を含むことができる。アダプタ６１９は、第１端部及び第２端部６２１、６２３を貫通しかつシャフト６１８の噛合い部分６３７の形状に合致する形状を有する開口６３５を含むことができる。開口６３５及び噛合い部分６３７の各々は、相互に噛み合ってシャフト６１８とアダプタ６１９との間の相対的回転を防止する１つ又は複数の平坦面（図２６）を含む。アダプタ６１９の第１端部６２１も、本体６１５の端部に凹部６３９（図２７）を形成する１つ又は複数の平坦面と噛み合う１つ又は複数の平坦面（図２６）を含むことができる。
【０１４２】
図２７を参照すると、本体６１５は空洞６２６を含み、その中に、バネ６２４及びプランジャ６２２が移動可能に配置される。バネ６２４の一方の端部６９１は、アダプタ６２２の第１端部６２１の面６９３に当接し、バネ６２４の他方の端部６９２は、プランジャ６２２のフランジ６２８に当接し、それによってファスナカートリッジ６１０の長手軸Ａ５に沿ってシャフト６１８から反対向きにプランジャ６２２を付勢する。
【０１４３】
図２６を参照すると、本体６１５は、外面に陥没部６９４を含むことができる。陥没部は、ファスナカートリッジ６１０をシャフト６１８に着脱するとき、使用者がファスナカートリッジ６１０を握るのを助けることができる。図示するように、ファスナハウジング６２１は、プランジャハウジング６１７と一体的に形成できる。但し、ファスナハウジング６２１及びプランジャハウジング６１７は、別個に形成することもでき、ファスナハウジング６２１は、プランジャハウジング６１７の第１軸端部６３０に取り付けられ、これから延びることができる。
【０１４４】
図２７及び２８を参照すると、ファスナハウジング６２１は、これを軸方向に貫通するファスナ室６４４を含む。ファスナ室４４に関連して以上で説明したように、ファスナ室６４４は、回転に関してファスナハウジング６２１に対してファスナ６１３を固定する形状を持つことができる。即ち、ファスナ室６４４は、ファスナ６１３がファスナハウジング６２１に対して軸方向に（軸Ａ５に沿って）移動できるようにしながら、ファスナが回転に関してはファスナハウジング６２１に固定されるような形状を持つ。
【０１４５】
ファスナハウジング６２１の第１端部は、複数の非可撓性タブ６５８（まとめて「非可撓性テーブル６５８」と呼ぶ）と、複数の弾性可撓性タブ６７６（まとめて「可撓性タブ６７６」と呼ぶ）と、を含む。１つの実施形態において、ファスナハウジング６２１は、２つの非可撓性タブ６５８と２つの可撓性タブ６７６とを含むことができる。図２６において、スロット６５９を、各隣り合う非可撓性タブ６５８と可撓性タブ６７６との間に配置できる。即ち、隣り合う非可撓性タブ６５８及び可撓性タブ６７６は、スロット６５９によって分離できる。
【０１４６】
ファスナハウジング６２１は、弾性可撓性タブ６７６の厚みが非可撓性タブ６５８の厚みより小さいように弾性可撓性タブ６７６に沿って段状部分６６０を含むことができる。例えば、２つの可撓性タブ６７６を横切るファスナハウジング６２１の直径は、２つの非可撓性タブ６５８を横切るファスナハウジング６２１の直径より小さくできる。可撓性タブ６７６により小さい厚みを与えることによって、可撓性タブ６７６を可撓性とすることができる。
【０１４７】
１つの実施形態において、可撓性タブ６７６は、本体６１５の他の部分とは別個に形成して、その後、取り付けられることができ、可撓性タブ６７６を本体６１５に結合する接続ジョイントによって可撓性とすることができる。更に、可撓性タブ６７６は、本体６１５とは異なる材料で形成し、その後本体６１５に取り付けることができる。ファスナカートリッジ６１０は２つの非可撓性タブ６５８と２つの可撓性タブ６７６とを含むが、非可撓性タブ６５８及び可撓性タブ６７６の数は、これらに等しい又は相互に等しい数である必要はない。
【０１４８】
可撓性タブ６７６は、打込み準備完了位置にあるファスナ６１３がファスナ室６４４の中へ押し戻されるのを防止する。可撓性タブ６７６は打込み準備完了位置にあるファスナ６１３がファスナ室６４４の中へ押し戻されるのを防止するので、スタンバイ位置にあるファスナ６１３及びプランジャ６２２がファスナカートリッジ６１０のシャフト６１８へ向かって押されることが防止される。
【０１４９】
可撓性タブ６７６は、図２５及び２９に示すように、ファスナ６１３の１つが打込み準備完了位置にあるとき、その公称静止位置にある。図２９は、図２５のファスナカートリッジ６１０の一部分の可撓性タブ６７６に沿った断面図である。可撓性タブ６７６がその公称静止位置にあるとき、可撓性タブ６７６の突出部６８１の半径方向最も内側の端部（図２６及び３０）は、打込み準備完了位置にあるファスナ６１３の頭部６４６の半径方向最も外側の周囲６４９に対して半径方向内側に配置される（図２９）。したがって、タブ６７６と打込み準備完了位置にあるファスナ６１３の頭部６４６との間の干渉は、打込み準備完了位置にあるファスナ６１３がファスナ室６４４の中へ押し戻されるのを防止する。
【０１５０】
図２７、２８は、図２５のファスナカートリッジ６１０の非可撓性タブ６５８に沿った断面図である。図２７及び２８を参照すると、非可撓性タブ６５８は、ファスナ室６４４の出口において半径方向にファスナ室６４４の中へ延びる突出部６６１を含む。非可撓性タブ６５８の各々は、打込み準備完了位置にあるファスナ６１３（即ち、ファスナ室６４４から外に延びてその先端６５２がファスナカートリッジ６１０から反対向きを指すファスナ６１３）の凹部６５５の対応する１つの中に受け入れられる。非可撓性タブ６５８と打込み準備完了ファスナ６１３のリップ６６０との間の干渉は、ファスナカートリッジ６１０と打込み準備完了ファスナ６１３との間の不注意の離脱を防止する。図２７において、シャフト６１８は図示されない。図２７及び２８に示すように、非可撓性タブ６５８は、打込み準備完了位置にあるファスナ６１３のリップ６６０と係合して、ファスナカートリッジ６１０と打込み準備完了ファスナ６１３との間の不注意の離脱を防止する。
【０１５１】
ファスナ６１３の最初の１つが所望の深さまで物体の中へ打ち込まれた後、使用者は、ファスナ６１３の最初の１つのリップ６６０を変形してファスナ６１３の最初の１つの頭部６４６がファスナハウジング６２１の出口６５９（図２６）を完全に通り抜けられるようにするために力を加えることによって、ファスナ６１３の最初の１つからファスナカートリッジ６１０を離脱できる。リップ６６０の変形は、ファスナカートリッジ６１０をファスナ６１３の最初の１つから引き離すことによって（又は、ファスナ６１３が物体の中に埋め込まれた後にファスナカートリッジ６１０をファスナ６１３に対して前後に揺らしてファスナ６１３から引き離すことによって）実現できる。このような引き離し及び／又は揺らしの行為によって、ファスナハウジング６２１の非可撓性タブ６５８はファスナ６１３の最初の１つのリップ６６０を変形させて、ファスナカートリッジ６１０をファスナ６１３の最初の１つから分離できるようにする。打込み準備完了位置にあるファスナ６１３のこのような保持、及びファスナ６１３をファスナカートリッジ６１０から分離するためのこのように慎重なステップは、ファスナカートリッジ６１０からのファスナ６１３の不注意の分離を減少または排除し、それによってファスナ６１３の落下及び紛失を減少または排除する。いくつかの実施形態において、ファスナ６１３は、リップ６６０の変形をさらに容易にするためにファスナハウジング６２１より柔らかい材料で作ることができる。
【０１５２】
図３０Ａ及び３０Ｂは、ファスナ６１３の斜視図である。ファスナ６１３は、２つの凹部６５５と２つのリップ６６０とを含む。非可撓性タブ６５８の数は、少なくともリップ６６０の数に等しくなければならない。
【０１５３】
図３１を参照すると、図３１は、プランジャハウジング６１７とファスナハウジング６２１とを含む本体６１５の正面図である。図３１に示すように、ファスナハウジング６２１は、相互に直径方向に対向する２つの非可撓性タブ６５８を含む。２つの非可撓性タブ６５８は、２つの凹部６５５と整列し、突出部６１は、ファスナ６１３のリップ６６０と整列しこれに干渉できる（図３０Ａ及び３０Ｂ）。更に、ファスナハウジング６２１は、可撓性タブ６７６の遠位端部から半径方向内向きに延びる突出部６８１を含む２つの可撓性タブ６７６を含む。本明細書において論じるように、可撓性タブ６７６がその公称静止位置にあるとき、可撓性タブ６７６の突出部４８１の半径方向最も内側の端部は、図２９に示すように、打込み準備完了位置にあるファスナ６１３の頭部６４６の半径方向最も外側の周囲６４９に対して半径方向内側に配置される。
【０１５４】
プランジャ６２２は、フランジ６２８から長手軸Ａ５に沿って延びる円筒形シャフト６５３を含み、プランジャハウジング６１７とファスナハウジング６２１とを含む本体６１５に対して長手軸に沿って軸方向に移動可能である。シャフト６５３は、ファスナ６１４の１つの凹部６４８（図３１Ａ及び３１Ｂ）内に嵌合する形状およびサイズを持つ先端６５１を含むことができる。１つの実施形態において、プランジャ６２２は、オートクレーブ温度を受けたとき変形する材料で形成できる。例えば、オートクレーブは、設備に高圧及び高温（例えば、１２１℃）を加えることによって設備を滅菌するために使用される圧力室である。使用者が使用済みファスナカートリッジ６１０を滅菌しようとしたとき、ファスナカートリッジ６１０の使い捨てを促すために、滅菌温度を受けたとき変形するプラスチックなどの材料でプランジャを形成できる。プランジャ６２２は、滅菌後にプランジャ６２２の機能が使用不能となりファスナカートリッジ６１０を使用できないように、変形するように構成できる。
【０１５５】
本明細書において論じるように、ファスナカートリッジ６１０は、逆棘付きタブ６３１が図２８に示すようにシャフト６１８の環状凹部と係合するように、アダプタ６１９を通してシャフトを挿入することによってシャフト６１８に結合できる。打込み準備完了位置にあるファスナ６１３が物体の中へ打ち込まれた後、ファスナカートリッジ６１０がこのファスナ６１３から分離されるとき、プランジャ６２２は、上述のように、バネ６２４を介して、次のファスナ６１３をスタンバイ位置から打込み準備完了位置へ押す。ファスナ６１３がスタンバイ位置から打込み準備完了位置へ前進するとき、ファスナ６１３の頭部４６４がタブ６７６の間を打込み準備完了位置まで通過するので、ファスナ６１３の頭部６４６は、タブ６７６を押して半径方向外向きに（長手軸Ａ５から反対向きに）屈曲できる。
【０１５６】
ファスナ６１３の全てが物体の中へ打ち込まれた後（即ち、ファスナ６１３の全てがファスナカートリッジ６１０から分離した後）、ファスナカートリッジ６１０（本体６１５、プランジャ６２２、バネ６２４、アダプタ６１９を含む）は、シャフト６１８から取り外すことができる。図３２Ａは、シャフト６１８に結合されたファスナカートリッジ６１０の一部分を示す。図３２Ａに示すように、逆棘付きタブ６３１は、シャフト６１８の環状凹部６３３内に受け入れられる。本明細書において論じるように、逆棘付きタブ６３１は、シャフト６１８がファスナカートリッジ６１０から取り外されたら、逆棘付きタブ６３１がもはやシャフト６１８と係合しないように形成できる。１つの実施形態において、逆棘付きタブ６３１は、各逆棘付きタブ６３１の断面積を減少するために内面に沿って溝６４０を有する。断面積を減少することによって、シャフト６１８から外す時変形を生ずるようにできる。例えば、ファスナカートリッジ６１０をシャフト６１８から外すために必要な力は、溝６４０に沿った薄い断面積に材料の降伏点を超えさせる。したがって、シャフト６１８が取り除かれた後、図３２Ｂに示すように、逆棘付きタブ６３１は、開いたままであり、使用者がファスナカートリッジ６１０を再び接続しようとしても、シャフト６１８と係合しない。
【０１５７】
シャフト６１８をファスナカートリッジ６１０に取り付けるためには、マウント力が必要であり、マウント力は、使用者にとっての取付け易さを向上するために最小化されることができる。ディスマウント力（即ち、シャフト６１８をファスナカートリッジ６１０から外すために必要な力）は、使用者が、ファスナカートリッジ６１０をシャフト６１８から離脱することなくファスナカートリッジ６１０をファスナ６１３から分離できるように離脱力（即ち、ファスナカートリッジ６１０からスクリューを離脱するために必要な力）より大きくすることができる。バネ６２４を介してファスナ６１３に作用するバネ力は、物体の中に挿入される前にファスナ６１３が飛び出すのを防止するために離脱力より小さくできる。更に、バネ力は、バネ６２４が次のスクリューを挿入のために順番待ちにできるように、可撓性タブ６７６の屈曲力より大きくできる。最後に、離脱力は、挿入済みファスナ６１３を取り外すことなくファスナカートリッジ６１０が挿入済みファスナ６１３から離脱できるように、例えば骨からファスナ６１３を引き出すために必要な力より小さくできる。
【０１５８】
ファスナカートリッジ６１０がシャフト６１８から取り外されたら、シャフト６１８のドライバ先端６９０（ファスナ６１３のスロット６５４に受け入れられる形状を持つ）は、１回に１つファスナに係合しこれを打ち込むために使用できる。本明細書において論じるように、アダプタ６１９は、ファスナカートリッジ６１０がシャフト６１８から取り外されたらアダプタの逆棘付きタブ６３１がアダプタ６２７を形成する材料の降伏点を上回って、逆棘付きタブ６３１が開いたままになって１回しかシャフト６１８と係合できないように形成できる。したがって、ファスナカートリッジ６１０は、使い切り装置とすることができる。
【０１５９】
図３３〜４２を参照すると、上述のファスナカートリッジ１０、１１０、２１０、３１０、４１０、５１０及び６１０と同様に、設定された数のファスナ７０２を保持し打ち込むためにドライバ１２（図１）と一緒に使用できる別のファスナカートリッジ７００を示す。ファスナカートリッジ７００の部分の構成及び機能は、以下で説明し及び／又は図に示す例外を除いて、ファスナカートリッジ１１０、２１０、３１０、４１０、５１０及び６１０の構造及び機能と同様又は同一とすることができる。したがって、いくつかの同様の特徴については重ねて詳細に説明しない。
【０１６０】
ファスナカートリッジ７００は、主ハウジング７０４と、ドライブクリップ７２０と、バネ７１６と、プランジャ７１４と、バックストップ要素とファスナ室７１０とを含むファスナハウジング７１１と、ロックスリーブ７０６と、を含むことができる。図３３〜４２に示す実施形態は、ファスナカートリッジ７００をシャフト７０８に着脱するためのキーレス自己整列及びロック機構を示す。例えば、シャフト７０８は、ドライバ１２（図１）に着脱するために使用されるドライバブレードとすることができる。本明細書において論じるように、ファスナカートリッジ７００は、事前に整列することなくシャフト７０８をファスナカートリッジ７００に挿入してファスナカートリッジに結合できるようにする。即ち、使用時に、使用者は、主ハウジング７０４に対するシャフト７０８の位置付けに配慮することなく主ハウジング７０４の中へシャフト７０８を挿入できる。シャフト７０８の丸い部分が主ハウジング７０４の対応する丸い穴の中に挿入されるので、整列の必要がなく、主ハウジング７０４に対するシャフト７０８の整列は意味がなく、ファスナカートリッジ７００の使い易さを増す。その後、ドライブクリップ７２０及び主ハウジング７０４に被せてロックスリーブ７０６を前進させて、ファスナカートリッジ７００をシャフト７０８に結合できる。本明細書において論じるように、ファスナカートリッジ７００は、ハウジング７０４内でのシャフト７０８の位置付けに関係なくシャフト７０８に結合できる。
【０１６１】
シャフト７０８は、フランジ７４０と、第１本体部分７４３と、第１本体部分７４３に形成された溝７４２と、第２本体部分７４４と、先端７４６と、を含むことができる。第１及び第２本体部分７４３及び７４４は、シャフト７０８が整列なしにファスナカートリッジ７００に結合できるように円形の円周を持つことができる。更に、第１本体部分７４３は、第２本体部分の直径より大きい直径を持つことができる。本明細書において論じるように、溝７４２は、ファスナカートリッジ７００がシャフト７０８に結合されたときファスナカートリッジ７００を軸方向及び回転に関して固定できるようにする正方形の溝７４２とすることができる。
【０１６２】
主ハウジング７０４は、第１端部７２２から第２端部７２４まで延びる開口７１９を含む。主ハウジング７０４は、フランジ７２６と、第１端部７２２寄りに配置された第１口７２８（例えばロック口とも呼ぶ）及びバネ保持口７２９と、第２端部７２４寄りに配置された第２口７１８と、を含むことができる。１つの実施例において、主ハウジング７０４は、２つの第１口７２８と４つの第２口７１８とを含むことができる。但し、任意の数の第１及び第２口７２８を使用できる。ファスナカートリッジ７００は、ベース７３０とベース７３０から延びる細長い脚７３２とを含むドライブクリップ７２０を含むことができる。細長い脚７３２の端部において、ドライブクリップ７２０は、細長い脚７３２から延びる突出部７３４を含むことができる。１つの実施例において、突出部７３４は、実質的に細長い脚７３２に直交する。更に、突出部７３４は、第１突出部と第２突出部とが直径方向に対向し相互へ向かって延びるように、細長い脚７３２から突出する。但し、細長い脚７３２及び対応する突出部７３４との間の、他の数、位置付け及び間隔の実施形態を使用できる。
【０１６３】
ドライブクリップ７２０は、主ハウジング７０４がベース７３０を通過して延びてかつ突出部７３４が第１口７２８の中へ延びるように、主ハウジング７０４上に取り付けられる。アンロック状態において、突出部７３４は、部分的に第１口７２８の中へ延びて、ハウジングに沿ったドライブクリップ７２０の位置を維持するが、主ハウジング７０４によって形成された開口７１９の中へは延びない。アンロック状態において、シャフト７０８は、円形円周を持つ第１及び第２本体部分７４３、７４４がハウジングの円形開口７１９内において軸方向及び回転に関して自由に移動できるように、主ハウジング７０４の中へ挿入できる。
【０１６４】
シャフト７０８がファスナカートリッジ７００の中へ完全に挿入されたら、即ちフランジ７４０がハウジング７０４の第１端部７２２に当接したら、ファスナカートリッジ７００をロックできる。シャフト７０８がファスナカートリッジ７００の中へ完全に挿入されたとき、シャフト７０８の溝７４２は、主ハウジング７０４の第１口７２８と整列する。ファスナカートリッジ７００をシャフト７０８にロックするためには、ロックスリーブ７０６を、主ハウジング７０４の第１端部７２２へ向けてドライブクリップ７２０上で移動させる。ロックスリーブ７０６がドライブクリップ７２０及び主ハウジング７０４に沿って移動するとき、ロックスリーブ７０６は、細長い脚７３２を押して主ハウジング７０２に接して潰し、それによって、突出部７３４の一部分が第１口７２８を通過して主ハウジング７０４の開口７１９の中へ更にシャフト７４２の溝７４２の中へ延びるように、突出部７３４を更に第１口７２８の中へ押す。突出部７３４がシャフト７０８の溝７４２の中へ延びたとき、ファスナカートリッジ７００は、軸方向及び回転に関してシャフト７０８に固定される。
【０１６５】
図３７〜３８を参照すると、溝７４２は、４つの別個の溝７８２Ａ〜Ｄを含み、図３８Ａ及び３８Ｂに示すようにシャフト７０８の周りに「正方形溝」を形成する。溝７４２は、シャフト７０８の第１本体７４３の円形断面に形成される。各溝７８２Ａ〜Ｄは、平坦部分７８１を含み、かつ傾斜側面７８４を含む。更に、各溝７８２Ａ〜Ｄは、相互に区別される。図示するように、溝７４２は、各溝７８２Ａ〜Ｄがピーク部分７８６によって分離されるようにカットされる。ピーク部分７８６は、シャフト７０８の第１本体部分７４３の非中断面である非カット部分とすることができる。更なる実施形態において、ピーク部分７８６は、第１本体部分７４３の直径に比べて僅かに小さいが、各溝７８２Ａ〜Ｄを分離するのに充分な直径を持つことができる。
【０１６６】
図３８Ａ〜Ｂに示すように、突出部７３４は、谷部分７９０と傾斜側面７９２とを含むＶ字形溝７８８を含む。更に、突出部７３４はリッジ７９４も含む。正方形溝７４２と突出部７３４のＶ字形溝７８８とは、主ハウジング７０４内のシャフト７０８の位置に関係なく協働し、どのような位置にあっても、突出部７３４は、軸方向及び回転に関して保証されながら溝７４２と係合できる。例えば、主ハウジング７０４に対するシャフト７０８の１つの整列において、突出部７３４のＶ字形溝７８８は、シャフト７０８のピーク部分７８６に跨り、突出部７３４の各リッジ７９４は、図３８Ａに示すように溝７８２Ａ〜Ｄの１つの中へ延びることができる。主ハウジング７０４に対するシャフト７０８の別の整列において、突出部７３４は、突出部全体７３４が溝７４２の溝７８２Ａ〜Ｄの１つの中へ延びるように、溝７８２Ａ〜Ｄの１つと整列する。１つの実施例において、突出部７３４の幅は、溝７８２Ａ〜Ｄの１つの幅に等しい。他の整列において、Ｖ字形溝７８８の傾斜側面７９４の一部分又はリッジ７９４は、シャフト７０８のピーク部分と係合できる。突出部７３４の形状は、ピーク部分７８６が突出部７３４に当たる場所に関係なく、主ハウジング７０４及びドライブクリップ７２０が図３８Ａ及び３８Ｂに示す状態の１つに自己整列できるようなものである。例えば、シャフト７０８と突出部７３４との整列が図示する整列の中間的整列である場合、ピーク部分７８４及びＶ字形溝７８８の面とリッジ７９４の面との間の相互作用は、突出部７３４を図３８Ａ及び３８Ｂに示す状態の１つに自己整列する。
【０１６７】
ファスナカートリッジ７００は、バネ７１６とプランジャ７１４とを含む。バネ７１６は、主ハウジング７０４内に移動可能に配置され、第１端部７３６から第２端部７３８まで延びる。プランジャ７１４は、フランジ７４８から長手軸Ａ６に沿って延びるシャフト７５０を含み、主ハウジング７０４、ロックスリーブ７０６及びファスナハウジング７１１に対して長手軸Ａ６に沿って軸方向に移動可能である。先端７５２は、ファスナ７０２の凹部８００（図３９Ａ）の１つ又はそれ以上に係合する形状を持つ。１つの実施例において、バネ７１６の第１端部７３６は、バネ保持口７２９内に配置される。別の実施例において、第１端部７３６は、主ハウジング７３１内のバックストップ７３１に当接して配置できる。更に、第１端部７３６は、バネ保持口７２９内に配置してバックストップ７３１プに当接できる。バネ７１６の第２端部７３８は、プランジャ７１４のフランジ７４８から延びる突出部７１５の周りに配置され、ファスナカートリッジ７００の長手軸Ａ６に沿ってシャフト７０８から反対向きにプランジャ７１４を付勢できる。図３５に示すように、バネ７１６は、シャフト７０８の一部分を受け入れる。本明細書において論じるように、シャフト７０８は、ファスナカートリッジ７００がロック状態になるまで、バネ７１６内で軸方向及び回転に関して移動できる。
【０１６８】
ファスナハウジング７１１は、ファスナ室７１０とバックストップ要素７１２とを含むことができる。ファスナ室７１０は、主ハウジング７０４の第２端部７２４に取り付けられ、これから延びることができる。ファスナ室７１０は、第１端部７６０から第２端部７６２まで延びることができる。ファスナ室７１０は、本体７６７と、チェンバ７６３を形成するチェンバ部分７６５とを含むことができる。本体７６７は、溝７６８と出っ張り７６６とを持つことができ、出っ張り７６６は、溝７６８と比べて第１端部７６０寄りに配置される。１つの実施例において、本体７６７は、第１端部７６０から出っ張り７６６へ向かって延びるキー面７６９を含む。キー面７６９は、スナップ嵌めによって主ハウジング７０４と係合できる突出部７６４を含むことができる（例えば、ファスナ室７１０の突出部７６４は、主ハウジング７０４の第２口７１８の中へスナップ式に嵌る）。
【０１６９】
ファスナ室７１０は、回転に関してファスナハウジング７１１に対してファスナ７０２を固定する形状を持つことができる。ファスナ室７１０は、ファスナ室７１０に対してファスナ７０２が軸方向に移動できるようにしながらファスナ７０２とファスナハウジング７１１との間の相対的回転を防止するために、チェンバ７３６の中へ延びてファスナ７０２の凹部８０６（図３９Ａ、Ｂ及び４０）に係合する１対の突出部７７０を含むことができる。
【０１７０】
ファスナ室７１０の第１端部７６２は、チェンバ７６３の出口７６１においてチェンバ７６３の中へ半径方向に延びる複数の非可撓性タブ７７０を含むことができる。非可撓性タブ７７０の各々は、打込み準備完了位置にあるファスナ７０２（即ち、ファスナ室７１０から外へ延びその先端８０７がファスナカートリッジ７００から反対向きを指すファスナ７０２）の凹部８０６の対応する１つに受け入れられる。非可撓性タブ７７０と打込み準備完了ファスナ７０２の凹部８０６との間の干渉は、ファスナカートリッジ７００と打込み準備完了ファスナ７０２との間の不注意の離脱を防止する。
【０１７１】
ファスナ室７１０のチェンバ部分７６５は、チェンバ７６５に沿って延びるリッジ７６７を含む。リッジ７６７は、ファスナ７０２の頭部８０２の凹部８０４内に位置付けられて、ファスナ室７１０内でのファスナ７０２の回転を防止するように構成される。リッジ７６７は、第１出っ張り７７８を形成し、本体７６７は第２出っ張り７８０を形成する。第１及び第２出っ張り７７８、７８０は、バックストップ要素７１２と相互作用して、本明細書において論じるように、ファスナ室７１０内でのバックストップ要素７１２の位置を維持できる。
【０１７２】
図３９Ａ〜Ｂ及び４０に示すように、ファスナ７０２は、部分的に傾斜面８０６によって形成される凹部８０４を含む。凹部８０４の傾斜面８０６は、ファスナカートリッジ７００と打込み準備完了ファスナ７０２との間の不注意の離脱を防止するようなものである。図示する凹部８０４は傾斜面８０６を持つが、凹部８０４は、ファスナ１４（図７）について本明細書において示すように、部分的に凹部を形成するリップとして形成することもできる。各凹部８０４の間に、頭部８０２は、頭部８０２の概ね十字形の周囲を形成する葉状体８０８を含むことができる。代替的に、ファスナ室７１０及び頭部８０２は、回転に関してファスナハウジング７１１に対してファスナ７０２の頭部８０２を固定するような形状を持てることが分かるはずである。
【０１７３】
各ファスナ７０２は、ファスナ７０２の長手軸に沿って頭部８０２の中へ延びるソケット８００を含む。各ファスナ７０２のネジ切り軸部８０３は、ファスナ７０２を相互に入れ子式に重ねられるように、隣接するファスナ７０２のソケット８００の中に受け入れられるテーパー状先端８０７を持つことができる。ファスナ７０２の頭部８０２は、例えば、プラス（十字形）頭又は平頭ドライバ先端を受け入れるように構成される１つ又は複数のスロット８０１を含むこともできる。
【０１７４】
バックストップ要素７１２は、ベース７５３とベース７５３から延びる複数の弾性可撓性タブ７５８とを有する概ね管状の部材とすることができる。ベース７５３は、エッジ７５４とフレア状タブ７５６と含むことができる。バックストップ要素７１２は、ファスナ室７１０内に受け入れられ、ファスナ室７１０内で軸方向及び回転に関して固定される。例えば、挿入時に、バックストップ要素７１２は、エッジ７５４がファスナ室７１０のリッジ７６７によって形成された第１出っ張り７７８に当接するまでファスナ室７１０の中へ挿入できる。更に、フレア状タブ７５６は、挿入時に潰れ、その後、タブがファスナ室７１０の本体７６７を通り抜けてファスナ室７１０の第２出っ張り７８０に当接すると拡張し、それによって、ファスナ室７１０内でのバックストップ要素７１２の移動を防止する。
【０１７５】
本明細書において論じるように、弾性可撓性タブ７５８は、打込み準備完了位置にあるファスナ７０２がファスナ室７１０の中へ押し戻されるのを防止する。可撓性タブ７５８は、打込み準備完了位置にあるファスナ７０２がファスナ室７１０の中へ押し戻されるのを防止するので、スタンバイ位置位あるファスナ７０２及びプランジャ７１４は、ファスナカートリッジ７００のシャフト７０８へ向かって押されるのが防止される。
【０１７６】
可撓性タブ７５８は、ベース７５３から軸方向に（ファスナハウジング７１１の長手軸Ａ３に沿って）ファスナ室７１０の出口７６１へ向かって及び長手軸Ａ３へ向かって半径方向内向きに延びる。可撓性タブ７５８は、図３６に示すように、ファスナ７０２の１つが打込み準備完了位置にあるとき、その公称静止位置にある。可撓性タブ７５８がその公称静止位置にあるとき、可撓性タブ７５８の自由端７５９は、打込み準備完了位置にあるファスナ７０２の頭部８０２の葉状体８０８の半径方向最も外側の周囲に対して半径方向内側に配置される。したがって、可撓性タブ７５８の自由端７５９と打込み準備完了位置にあるファスナ７０２の頭部８０２との間の干渉は、打込み準備完了にあるファスナ７０２がファスナ室７１０の中へ押し戻されるのを防止する。ファスナ室７１０及びバックストップ要素７１２は図において別個構成要素であるが、相互に一体的に形成できることも想定される。
【０１７７】
ファスナカートリッジ７００は、ロックスリーブ７０６も含む。本明細書において論じるように、ロックスリーブ７０６は、２つの位置即ちアンロック位置とロック位置とを持つことができる。アンロック位置において、シャフト７０８は、主ハウジング７０４内において軸方向及び回転に関して自由に移動できる。ロックスリーブがロック位置になると、シャフト７０８は、主ハウジング７０４及びファスナハウジング７１１内で軸方向及び回転に関して固定される。ロックスリーブ７０６は、第１端部７７１から第２端部７７３まで延びる。第１端部７７１は第１フランジ７７２を含み、第２端部７７３は、第２フランジ７７４から延びる突出部７７６を持つ第２フランジ７７４を含む。図３５において、ロックスリーブ７０６はアンロック位置にある。アンロック位置において、突出部７７６は、ファスナ室７１０の溝７６８の中へ延びて、主ハウジング７０４に沿ったロックスリーブ７０６の位置を維持する。更に、アンロック位置において、突出部７３４は、主ハウジング７０４の第１口７２８の中へ部分的に延びるが、主ハウジング７０４によって形成された開口７１９の中へは延びず、それによって、シャフト７０８が主ハウジング７０４内で自由に移動できるようにする。ロックスリーブ７０６をロック位置から移動するために、使用者は、主ハウジング７０４の第１端部７２２へ向かってロックスリーブ７０６を押して、ロックスリーブ７０６が主ハウジング７０４に沿って移動できるように突出部７７６を溝７６８から離脱させる。本明細書において論じるように、ロックスリーブ７０６が主ハウジング７０４の第１端部７２２へ向かって移動するとき、ドライブクリップ７２０の細長い脚７３２は主ハウジング７０４に接して潰れて、突出部７３４は第１口７２６を通過してシャフト７０８の溝７４２の中へ延びて、それによって、主ハウジング７０４に対して軸方向及び回転に関してシャフト７０８を固定する。
【０１７８】
ファスナ７０２の最初の１つが所望の深さまで物体の中へ打ち込まれた後、使用者は、ファスナ７０２の最初の１つの傾斜面８０６を僅かに変形して、ファスナ７０２の最初の１つの頭部８０２がファスナ室７１０の出口７６１を完全に通り抜けられるようにするために力を加えることによって、ファスナカートリッジ７００をファスナ７０２の最初の１つから離脱できる。傾斜面８０６の変形は、ファスナ７０２が物体に埋め込まれた後に、ファスナ７０２の最初の１つからファスナカートリッジ７００を引き離すことによって（又は、ファスナ７０２に対してファスナカートリッジ７００を前後に揺らして、ファスナ７０２から引き離すことによって）、実現できる。このような引き離し及び／揺らしの行為によって、ファスナ室７１０の非可撓性タブ７７０は、ファスナ７０２の最初の１つの傾斜面８０６を変形させて、ファスナカートリッジ７００をファスナ７０２の最初の１つから分離できるようにする。このような打ち込み準備完了位置にあるファスナ７０２の保持及びファスナカートリッジ７００からファスナ７０２を分離するためのこのように慎重なステップは、ファスナカートリッジ７００からのファスナ７０２の不注意の分離を減少または排除し、それによって、ファスナ１４の落下及び紛失を減少または排除する。
【０１７９】
打込み準備完了位置にあるファスナ７０２が物体に打ち込まれた後、ファスナカートリッジ７００が前記ファスナ７０２から分離するとき、プランジャ７１４は、上述のように次のファスナ７０２をスタンバイ位置から打込み準備完了位置へ押す。ファスナ７０２がスタンバイ位置から打込み準備完了位置へ前進するとき、ファスナ７０２の頭部８０２は、ファスナ８０２の頭部８０２が可撓性タブ７５８の間を打ち込み準備完了位置まで通過するので、ファスナ７０２の頭部８０２は可撓性タブ７５８を押して半径方向外向きに（長手軸Ａ３から反対向きに）屈曲できる。
【０１８０】
いくつかの実施形態において、ファスナ７０２の全てが物体の中へ打ち込まれた後（即ち、ファスナ７０２の全てがファスナカートリッジ７００から分離された後）、ファスナカートリッジ７００は主ハウジング７０４から取り外せる。その後、別のファスナカートリッジ７００をハウジング３１６に取り付け直すことができる。
【０１８１】
図４３〜４９は、上述のファスナカートリッジと同様に、設定された数のファスナを保持し物体の中へ打ち込むためにドライバ１２と一緒に使用できる別のファスナカートリッジ１０００を示す。ファスナカートリッジ１０００の構造及び機能は、以下に説明し及び／又は図に示す例外を除いて、上述のファスナカートリッジ１１０、２１０、３１０、４１０、５１０、６１０及び７００の構造及び機能と同様又は同一とすることができる。したがって、いくつかの同様の特徴については重ねて詳細に説明しない。
【０１８２】
ファスナカートリッジ１０００は、主ハウジング１００２と、ファスナハウジング１００４と、プランジャ１００６と、バネ１００８と、バックストップ要素１０１０と、を含むことができる。ファスナカートリッジ１０００は、本明細書において説明するように、ツールと係合するシャフト１０１２に結合できる。ハウジング１００４及びシャフト１０１２は、相互に取付け可能な別個の構成要素である。ハウジング１００４は、シャフト４１８を受け入れてシャフトと取外し可能に係合する第１端部１０１４を含む。第１端部１０１４は、シャフト１０１２の環状凹部１０１８の中へスナップ式に嵌る複数の可撓性逆棘付きタブ１０１６を含むことができる。ハウジング１００２は、ハウジング１００２の第１端部１０１４から第２端部１０２２まで延びる開口１０２０を形成できる。開口１０２０を形成するハウジング１００２の一部分１０２６は、シャフト１０１２の噛合い部分１０２４と噛み合うように構成される。部分１０２６は、噛合い部分１０２４の形状に合致する形状を持つ。例えば、開口を形成する部分１０２６と噛合い部分１０２４とは、シャフト１０２４とハウジング１００２との間の相対的回転を防止するために相互に噛み合う１つ又は複数の平坦面を含む。ハウジング１００２とシャフト１０１２との間の係合は、ファスナカートリッジ１００を伴うドリルの作動時にシャフト１０１２とハウジング１００２とを相互に固定しておくのに充分な強さである。
【０１８３】
バネ１００８及びプランジャ４２２は、ハウジング１００２内に移動可能に配置される。図示する実施形態において、バネ１００８は伸縮バネである。バネ１０２８の第１端部１０２７は、プランジャ１００６に引っ掛かるループ１０２８を含む。例えば、プランジャ１００６は、プランジャの第１端部１０３２に凹部１０３０を含む。バネの第１端部をプランジャに結合するためのその他の構成が可能である。バネ１００８の第２端部１０３０は、ファスナハウジング１００４の第１端部１０３８に当接する。ハウジング１００２内に配置されたとき、バネ１００８の第２端部１０３０は、ハウジング１００２の開口１０２０の中へ延びる突出部１０４２に当接する。１つの実施例において、バネ１００６の第２端部１０３０は、バネ１００６の残り部分に比べて大きい直径を有する。したがって、バネ１００６が第２端部１０２２からハウジング１００２の中へ挿入されたとき、ばね１００６は、第２端部１０３０が突出部１０４２に当接するまでハウジング１００２の中へ延びる。組み立てられたとき、バネ１００８は、ファスナ７０２がファスナカートリッジ１００から打ち込まれるときに、バネ１００８が収縮してそれによってファスナカートリッジ１０００の長手軸Ａ６に沿ってシャフト１０１２から反対向きにプランジャ１００６プランジャ４２２を付勢するように、伸縮しなければならない。
【０１８４】
ファスナハウジング１００４は、第１端部１０３８から第２端部１０４０まで延びることができる。ファスナハウジング１００４は、ハウジング１００２の第１端部１０２２に取り付けられ、第１端部から延びることができる。いくつかの実施形態において、ファスナハウジング１００２は、ハウジング１００２とファスナハウジング１００４との間の相対的回転を防止するために、ハウジング１００２のキー溝１０４６（１つ又は複数の平坦面を有する）に受け入れられるキー部分１０４４（１つ又はそれ以上の平坦面を有する）を含むことができる。ファスナハウジング１００４は、軸方向に貫通するファスナ室１０４８を含むことができる。ファスナ室１０４８は、回転に関してファスナ７０２をファスナハウジング１００４に対して固定するように形成されることができる。即ち、ファスナ室１０４８は、ファスナ７０２がファスナハウジング１００４に対して軸方向に（軸Ａ５に沿って）移動できるようにしながら、ファスナ７０２が回転に関してファスナハウジング１００４に固定されるような形状を持つ。
【０１８５】
図４４、４６及び４９に示すように、ファスナハウジング１００４の第２端部１０４０は、ファスナハウジング１００４の出口においてファスナ室１０４８の中へ半径方向に延びる複数の非可撓性タブ１０５０を含むことができる。スロット１０５２を、隣り合う各対の非可撓性タブ１０５０の間に配置できる。非可撓性タブ１０５０の各々は、打込み準備完了位置にあるファスナ７０２（即ち、ファスナハウジング１００４から外へ延びその先端８０７がファスナカートリッジ１００から反対方向を指すファスナ７０２）の凹部８００の対応する１つの中に受け入れられる。非可撓性タブ１０５０と打込み準備完了ファスナ７０２の傾斜面８０６との間の干渉は、ファスナカートリッジ１０００と打込み準備完了ファスナ７０２との間の不注意の離脱を防止する。図ではファスナ７０２と一緒に示すが、ファスナカートリッジ１００は、本明細書において説明するファスナ１４と一緒に使用できる。
【０１８６】
プランジャ１００６は、第１端部１０３２から第２端部１０３４まで延びるシャフト１０３７を含むことができる。本明細書において論じるように、第１端部１０３２は、バネ１００８の第１端部１０２７と係合できる凹部を含むことができる。プランジャ１００６の第２端部１０３４は、ファスナ７０２の１つのスロット８０１内に嵌合する（図４５及び４６に示すように）サイズ及び形状を持つ。更に、プランジャ１００６は、第２端部１０３４寄りに配置された突出部１０３６を含む。図４８に示すように、ファスナハウジング１００４はスロット１０６０を含む。スロットは、プランジャの突出部１０３６を受け入れて回転に関してプランジャ１００６をファスナハウジング１００４に対して固定するサイズ及び形状を持つ。
【０１８７】
ファスナカートリッジ１０００は、ファスナハウジング１００４と相互作用するように構成されるバックストップ要素１０１０を含む。バックストップ要素１０１０は、各々噛合い部分１０６２と弾性可撓性タブ１０６４とを含む２つのバックストップ要素１０１０を含む。噛合い部分１０６２は、ファスナハウジング１００４のバックストップ噛合い区分１０５１と噛み合うように構成される。図４７に示すように、噛合い部分１０６２は、各バックストップ要素１０１０の弾性可撓性タブ１０６４がファスナハウジング１００４の対応するスロット１０５２に沿って延びるように、バックストップ噛合い区分１０５１の周りを取り囲む。
【０１８８】
バックストップ要素１０１０がファスナハウジング１００４に結合されたとき、可撓性タブ１０６４は、打込み準備完了位置にあるファスナ７０２がファスナ室１０４８の中へ押し戻されるのを防止する。可撓性タブ４７６は、打込み準備完了位置にあるファスナ１４がファスナ室１０４８の中へ押し戻されるのを防止するので、スタンバイ位置にあるファスナ７０２及びプランジャ１００６は、ファスナカートリッジ１０００のシャフト１０１２へ向かって押されるのを防止される。
【０１８９】
可撓性タブ１０６４は、図４５及び４７に示すように、ファスナ７０２の１つが打込み準備完了位置にあるときその公称静止位置にある。可撓性タブ１０６４がその公称静止位置にあるとき、可撓性タブ１０６４の半径方向最も内側の端は、打込み準備完了位置にあるファスナ７０２の頭部８０２の半径方向最も外側の周囲に対して半径方向内側に配置される。したがって、弾性可撓性タブ１０６４と打込み準備完了位置にあるファスナ７０２の頭部８０２との間の干渉は、打込み準備完了位置にあるファスナ７０２がファスナ室１０４２の中へ押し戻されるのを防止する。
【０１９０】
実施形態の以上の説明は、例示及び説明のために示す。以上の説明は、網羅的である又は開示を限定することを意図しない。特定の実施形態の個々の要素又は特徴は、その特定の実施形態に限定されるものではなく、適用可能な場合には、明確に図示又は説明されなくても、交換可能であり、選択された実施形態において使用できる。上記の要素又は特徴は多様に変更可能である。このような変更は開示からの逸脱とはみなされず、このような全ての修正が本開示の範囲内に含まれるものとする。
【図１】
0006637167.tif 000002
【図２】
0006637167.tif 000003
【図３】
0006637167.tif 000004
【図４】
0006637167.tif 000005
【図５】
0006637167.tif 000006
【図６】
0006637167.tif 000007
【図７】
0006637167.tif 000008
【図８】
0006637167.tif 000009
【図９】
0006637167.tif 000010
【図１０】
0006637167.tif 000011
【図１１】
0006637167.tif 000012
【図１２】
0006637167.tif 000013
【図１３】
0006637167.tif 000014
【図１４】
0006637167.tif 000015
【図１５】
0006637167.tif 000016
【図１６】
0006637167.tif 000017
【図１７】
0006637167.tif 000018
【図１８】
0006637167.tif 000019
【図１９】
0006637167.tif 000020
【図２０】
0006637167.tif 000021
【図２１】
0006637167.tif 000022
【図２２】
0006637167.tif 000023
【図２３】
0006637167.tif 000024
【図２４】
0006637167.tif 000025
【図２５】
0006637167.tif 000026
【図２６】
0006637167.tif 000027
【図２７】
0006637167.tif 000028
【図２８】
0006637167.tif 000029
【図２９】
0006637167.tif 000030
【図３０Ａ】
0006637167.tif 000031
【図３０Ｂ】
0006637167.tif 000032
【図３１】
0006637167.tif 000033
【図３２Ａ】
0006637167.tif 000034
【図３２Ｂ】
0006637167.tif 000035
【図３３】
0006637167.tif 000036
【図３４】
0006637167.tif 000037
【図３５】
0006637167.tif 000038
【図３６】
0006637167.tif 000039
【図３７】
0006637167.tif 000040
【図３８Ａ】
0006637167.tif 000041
【図３８Ｂ】
0006637167.tif 000042
【図３９Ａ】
0006637167.tif 000043
【図３９Ｂ】
0006637167.tif 000044
【図４０】
0006637167.tif 000045
【図４１】
0006637167.tif 000046
【図４２】
0006637167.tif 000047
【図４３】
0006637167.tif 000048
【図４４】
0006637167.tif 000049
【図４５】
0006637167.tif 000050
【図４６】
0006637167.tif 000051
【図４７】
0006637167.tif 000052
【図４８】
0006637167.tif 000053
【図４９】
0006637167.tif 000054